(57)【要約】【課題】  ＵＥが実施可能なサービスに応じて、そのＵＥをサービスの提供が可能なセルに確立させるようにすることが可能な無線基地制御局を提供する。【解決手段】  ＲＮＣ１のセル選択処理部１１は、ＵＥ情報処理部１２から取得する情報と、セル情報１３、ＵＥ情報１４、内部データ１５から取得する情報とを基に、Ｅ−ＤＣＨ／ＨＳ−ＤＳＣＨサービス実施不可ＵＥにＥ−ＤＣＨ／ＨＳ−ＤＳＣＨサービス提供不可セルを優先的に選択し、ＨＳ−ＤＳＣＨ可能ＵＥにＨＳ−ＤＳＣＨセルを優先的に選択し、Ｅ−ＤＣＨ／ＨＳ−ＤＳＣＨ可能ＵＥにＥ−ＤＣＨ／ＨＳ−ＤＳＣＨセルを優先的に選択することとなる。【選択図】      図２
2008166878.tif 000002
【特許請求の範囲】
【請求項１】
移動端末に無線基地局を通して接続する無線基地制御局であって、
前記無線基地局のセルの種別と当該セルの情報と前記移動端末の情報とを使用して前記移動端末に対してセル選択を行うセル選択手段を有することを特徴とする無線基地制御局。
【請求項２】
前記セル選択手段は、
パケットサービス実施時に高速なダウンリンクのＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスをＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）にて提供するＨＳ−ＤＳＣＨ可能な第１の移動端末にＨＳ−ＤＳＣＨセルを優先的に選択し、
前記パケットサービス実施時に前記ＨＳＤＰＡサービス及び高速なアップリンクのＨＳＵＰＡ（Ｈｉｇｈ  Ｓｐｅｅｄ  Ｕｐｌｉｎｋ  Ｐａｃｋｅｔ  Ａｃｃｅｓｓ）サービスをＥ−ＤＣＨ（Ｅｎｈａｎｃｅｄ  ＤＣＨ）／ＨＳ−ＤＳＣＨにて提供するＥ−ＤＣＨ／ＨＳ−ＤＳＣＨ可能な第２の移動端末にＥ−ＤＣＨ／ＨＳ−ＤＳＣＨセルを優先的に選択し、
前記パケットサービス実施時に前記アップリンク及び前記ダウンリンクともに低い速度でのサービスのみを提供するＥ−ＤＣＨ／ＨＳ−ＤＳＣＨサービス実施不可の第３の移動端末にＥ−ＤＣＨ／ＨＳ−ＤＳＣＨサービス提供不可セルを優先的に選択することを特徴とする請求項１記載の無線基地制御局。
【請求項３】
前記セル選択手段は、前記ＨＳ−ＤＳＣＨセルにおいて、その時点での新規ＨＳＤＰＡサービスの提供が可能であるかどうかを示すＨＳ−ＤＳＣＨブロック状態フラグと、前記Ｅ−ＤＣＨ／ＨＳ−ＤＳＣＨセルにおいて新規ＨＳＵＰＡサービスの提供が可能であるかどうかを示すＥ−ＤＣＨブロック状態フラグと、全てのセルの階層化優先度とに基づいて前記セル選択を行うことを特徴とする請求項２記載の無線基地制御局。
【請求項４】
前記移動端末が、前記第１の移動端末と前記第２の移動端末と前記第３の移動端末とのいずれであるかを判定するために内部データとしてハイスピードサービス対象とする確立理由を保持し、
前記セル選択手段は、前記移動端末からの最初の無線接続要求メッセージに示される前記移動端末の能力及び前記移動端末のサポートするバージョン、前記移動端末が開始しようとするサービス種別、確立理由、プロトコルエラーの有無に基づいて前記セル選択を行うことを特徴とする請求項２または請求項３記載の無線基地制御局。
【請求項５】
制御する全てのセルの負荷情報を管理し、
前記セル選択手段は、該当の移動端末に選択されたセルにおいて、その移動端末がそのセルで確立可能であるかどうか、移動端末の追加がもたらす負荷増と事前に設定された閾値とを比較し、閾値よりもセル負荷が超過する場合に、別の候補セルを選択することを特徴とする請求項１から請求項４のいずれか記載の無線基地制御局。
【請求項６】
請求項１から請求項５のいずれかに記載の無線基地制御局を有することを特徴とする移動体通信システム。
【請求項７】
移動端末に無線基地局を通して接続する無線基地制御局に用いる優先セル選択方法であって、
前記無線基地局のセルの種別と当該セルの情報と前記移動端末の情報とを使用して前記移動端末に対してセル選択を行うセル選択処理を実行することを特徴とする優先セル選択方法。
【請求項８】
前記無線基地制御局が、前記セル選択処理において、
パケットサービス実施時に高速なダウンリンクのＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスをＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）にて提供するＨＳ−ＤＳＣＨ可能な第１の移動端末にＨＳ−ＤＳＣＨセルを優先的に選択し、
前記パケットサービス実施時に前記ＨＳＤＰＡサービス及び高速なアップリンクのＨＳＵＰＡ（Ｈｉｇｈ  Ｓｐｅｅｄ  Ｕｐｌｉｎｋ  Ｐａｃｋｅｔ  Ａｃｃｅｓｓ）サービスをＥ−ＤＣＨ（Ｅｎｈａｎｃｅｄ  ＤＣＨ）／ＨＳ−ＤＳＣＨにて提供するＥ−ＤＣＨ／ＨＳ−ＤＳＣＨ可能な第２の移動端末にＥ−ＤＣＨ／ＨＳ−ＤＳＣＨセルを優先的に選択し、
前記パケットサービス実施時に前記アップリンク及び前記ダウンリンクともに低い速度でのサービスのみを提供するＥ−ＤＣＨ／ＨＳ−ＤＳＣＨサービス実施不可の第３の移動端末にＥ−ＤＣＨ／ＨＳ−ＤＳＣＨサービス提供不可セルを優先的に選択することを特徴とする請求項７記載の優先セル選択方法。
【請求項９】
前記無線基地制御局が、前記セル選択処理において、前記ＨＳ−ＤＳＣＨセルに対して、その時点での新規ＨＳＤＰＡサービスの提供が可能であるかどうかを示すＨＳ−ＤＳＣＨブロック状態フラグと、前記Ｅ−ＤＣＨ／ＨＳ−ＤＳＣＨセルに対して新規ＨＳＵＰＡサービスの提供が可能であるかどうかを示すＥ−ＤＣＨブロック状態フラグと、全てのセルの階層化優先度とに基づいて前記セル選択を行うことを特徴とする請求項８記載の優先セル選択方法。
【請求項１０】
前記無線基地制御局に、前記移動端末が、前記第１の移動端末と前記第２の移動端末と前記第３の移動端末とのいずれであるかを判定するために内部データとしてハイスピードサービス対象とする確立理由を保持し、
前記無線基地制御局が、前記セル選択処理において、前記移動端末からの最初の無線接続要求メッセージに示される前記移動端末の能力及び前記移動端末のサポートするバージョン、前記移動端末が開始しようとするサービス種別、確立理由、プロトコルエラーの有無に基づいて前記セル選択を行うことを特徴とする請求項８または請求項９記載の優先セル選択方法。
【請求項１１】
前記無線基地制御局が、制御する全てのセルの負荷情報を管理し、
前記セル選択処理において、該当の移動端末に選択されたセルにおいて、その移動端末がそのセルで確立可能であるかどうか、移動端末の追加がもたらす負荷増と事前に設定された閾値とを比較し、閾値よりもセル負荷が超過する場合に、別の候補セルを選択することを特徴とする請求項７から請求項１０のいずれか記載の優先セル選択方法。
【発明の詳細な説明】
【技術分野】
【０００１】
本発明は無線基地制御局、移動体通信システム及びそれらに用いる優先セル選択方法に関し、特にＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）２０００システムにおけるセル選択方法に関する。
【背景技術】
【０００２】
従来のセル選択アルゴリズムについて図１を参照して説明する。図１において、ＲＮＣ（Ｒａｄｉｏ  Ｎｅｔｗｏｒｋ  Ｃｏｎｔｒｏｌｌｅｒ：無線基地制御局）１は、同一アンテナにおいて周波数の異なるＥ−ＤＣＨ［Ｅｎｈａｎｃｅｄ  ｕｐｌｉｎｋ  ＤＣＨ（Ｄｅｄｉｃａｔｅｄ  Ｃｈａｎｎｅｌ）］／ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）サービス提供不可セルと、ＨＳ−ＤＳＣＨセルと、Ｅ−ＤＣＨ／ＨＳ−ＤＳＣＨセルとを混在し、同一エリアにＥ−ＤＣＨ／ＨＳ−ＤＳＣＨサービス実施不可ＵＥ（Ｕｓｅｒ  Ｅｑｕｉｐｍｅｎｔ）４とＨＳ−ＤＳＣＨ  Ｃａｐａｂｌｅ  ＵＥ５とＥ−ＤＣＨ／ＨＳ−ＤＳＣＨ  Ｃａｐａｂｌｅ  ＵＥ６とが混在している環境において（例えば、特許文献１参照）、下記の契機においてＬｏａｄ  Ｃｏｎｔｒｏｌを実施して対象セルを選択している。
【０００３】
この契機は、
１．最初の無線接続要求［ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ］メッセージ受信時
２．パケットサービスを共通チャネルで接続中に、ＵＥからのトラフィック増加報告受信もしくはＲＮＣ内部の転送バッファ増加検出による、共通チャネルから個別チャネルへのチャネルタイプ変更［ＣＴＳ  ＦＡＣＨ（Ｆｏｒｗａｒｄ  Ａｃｃｅｓｓ  Ｃｈａｎｎｅｌ）  ｔｏ  ＤＣＨ］時
３．ＵＥより現在のセルの周波数帯の品質劣化報告を受信し、同一アンテナの異周波数セルへ異周波数間ＨＯ（ＨａｎｄＯｖｅｒ：ハンドオーバ）を実施時
４．ＲＲＣ  Ｃｏｎｎｅｃｔｉｏｎを共通チャネルで接続中に、コアネットワーク（ＣＮ）よりサービス接続要求［ＲＡＢ（Ｒａｄｉｏ  Ａｃｃｅｓｓ  Ｂｅａｒｅｒ）  Ａｓｓｉｇｎｍｅｎｔ  Ｒｅｑｕｅｓｔ］メッセージ受信時
である。
【０００４】
【特許文献１】特開２００６−２２９３８４号公報
【発明の開示】
【発明が解決しようとする課題】
【０００５】
しかしながら、上述した従来のセル選択アルゴリズムでは、Ｌｏａｄ  Ｃｏｎｔｒｏｌアルゴリズム（Ａｌｇｏｒｉｔｈｍ）において、ＵＥの能力を考慮したセル選択を実施していないため、ＵＥが実施可能なサービスを提供できるセルを優先的に選択できないという問題がある。
【０００６】
また、従来のセル選択アルゴリズムでは、Ｌｏａｄ  Ｃｏｎｔｒｏｌアルゴリズムにおいて、Ｅ−ＤＣＨ／ＨＳ−ＤＳＣＨサービス提供不可セルとＨＳ−ＤＳＣＨセルとＥ−ＤＣＨ／ＨＳ−ＤＳＣＨセルとを考慮したセル選択を実施していないため、ＵＥが実施可能なサービスを提供できるセルを優先的に選択できないという問題がある。
【０００７】
さらに、従来のセル選択アルゴリズムでは、高速なダウンリンクのＨＳＤＰＡ（Ｈｉｇｈ−Ｓｐｅｅｄ  Ｄｏｗｎｌｉｎｋ  Ｐａｃｋｅｔ  Ａｃｃｅｓｓ）サービスを提供可能なＨＳ−ＤＳＣＨセルにおいて、その時点での新規ＨＳＤＰＡサービスの提供が可能であるかどうかを示すＨＳ−ＤＳＣＨブロック状態フラグと、高速なダウンリンクのＨＳＤＰＡサービスだけでなく、高速なアップリンクのＨＳＵＰＡ（Ｈｉｇｈ−Ｓｐｅｅｄ  Ｕｐｌｉｎｋ  Ｐａｃｋｅｔ  Ａｃｃｅｓｓ）サービスをＥ−ＤＣＨ／ＨＳ−ＤＳＣＨセルにおいて新規ＨＳＵＰＡサービスの提供が可能であるかどうかを示すＥ−ＤＣＨブロック状態フラグとを考慮したセル選択を実施していないため、ＵＥが実施可能なサービスをその時点で提供できるセルを優先的に選択できないという問題がある。
【０００８】
すなわち、従来のセル選択アルゴリズムでは、異なる周波数のセルへ接続する際、ＵＥの能力やセルの種別を考慮したセル選択が行われていない。その結果、Ｅ−ＤＣＨ／ＨＳ−ＤＳＣＨセルにおいて、Ｅ−ＤＣＨ／ＨＳ−ＤＳＣＨサービス実施不可ＵＥが低い速度でのサービスを提供するパケットサービスを実施する、もしくはＥ−ＤＣＨ／ＨＳ−ＤＳＣＨセルにおいてＨＳ−ＤＳＣＨ  Ｃａｐａｂｌｅ  ＵＥがダウンリンクのみ高速なパケットサービスを実施する等、リソースの利用効率が低くなってしまう可能性が高い。
【０００９】
そこで、本発明の目的は上記の問題点を解消し、ＵＥが実施可能なサービスに応じて、そのＵＥをサービスの提供が可能なセルに確立させるようにすることができる無線基地制御局、移動体通信システム及びそれらに用いる優先セル選択方法を提供することにある。
【課題を解決するための手段】
【００１０】
本発明による無線基地制御局は、移動端末に無線基地局を通して接続する無線基地制御局であって、
前記無線基地局のセルの種別と当該セルの情報と前記移動端末の情報とを使用して前記移動端末に対してセル選択を行うセル選択手段を備えている。
【００１１】
本発明による移動体通信システムは、上記の無線基地制御局を備えている。
【００１２】
本発明による優先セル選択方法は、移動端末に無線基地局を通して接続する無線基地制御局に用いる優先セル選択方法であって、
前記無線基地局のセルの種別と当該セルの情報と前記移動端末の情報とを使用して前記移動端末に対してセル選択を行うセル選択処理を実行している。
【００１３】
すなわち、本発明の移動体通信システムは、第３世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）２０００システムにおいて、端末（Ｕｓｅｒ  Ｅｑｕｉｐｍｅｎｔ：  ＵＥ）として、パケットサービス実施時、高速なダウンリンクのＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスをＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）にて提供するＨＳ−ＤＳＣＨ可能ＵＥ（ＨＳ−ＤＳＣＨ  Ｃａｐａｂｌｅ  ＵＥ）と、高速なダウンリンクのＨＳＤＰＡサービスだけでなく、高速なアップリンクのＨＳＵＰＡ（Ｈｉｇｈ  Ｓｐｅｅｄ  Ｕｐｌｉｎｋ  Ｐａｃｋｅｔ  Ａｃｃｅｓｓ）サービスをＥ−ＤＣＨ（Ｅｎｈａｎｃｅｄ  ＤＣＨ）／ＨＳ−ＤＳＣＨにて提供するＥ−ＤＣＨ／ＨＳ−ＤＳＣＨ可能ＵＥ（Ｅ−ＤＣＨ／ＨＳ−ＤＳＣＨ  Ｃａｐａｂｌｅ  ＵＥ）と、アップリンク及びダウンリンクともに低い速度でのサービスのみを提供し、ＨＳＤＰＡやＨＳＵＰＡのサービスをサポートしていないＨＳ非許容可能ＵＥ（Ｅ−ＤＣＨ／ＨＳ−ＤＳＣＨサービス実施不可ＵＥ）とが混在している。
【００１４】
また、本発明の移動体通信システムでは、ＨＳＤＰＡサービスやＨＳＵＰＡサービスを提供し始めた過渡期において、高速なダウンリンクのＨＳＤＰＡサービスを提供可能なＨＳ−ＤＳＣＨセルと、高速なダウンリンクのＨＳＤＰＡサービスだけでなく高速なアップリンクのＨＳＵＰＡサービスをも提供可能なＥ−ＤＣＨ／ＨＳ−ＤＳＣＨセルと、アップリンク及びダウンリンクともに低い速度でのサービスのみを提供可能とし、ＨＳＤＰＡもＨＳＵＰＡもサポートできていないＥ−ＤＣＨ／ＨＳ−ＤＳＣＨサービス提供不可セルとが混在する。
【００１５】
本発明の移動体通信システムでは、ＲＮＣ（Ｒａｄｉｏ  Ｎｅｔｗｏｒｋ  Ｃｏｎｔｒｏｌｌｅｒ：無線基地制御局）が、Ｅ−ＤＣＨ／ＨＳ−ＤＳＣＨサービス実施不可ＵＥにＥ−ＤＣＨ／ＨＳ−ＤＳＣＨサービス提供不可セルを優先的に選択し、ＨＳ−ＤＳＣＨ可能ＵＥにＨＳ−ＤＳＣＨセルを優先的に選択し、Ｅ−ＤＣＨ／ＨＳ−ＤＳＣＨ可能ＵＥにＥ−ＤＣＨ／ＨＳ−ＤＳＣＨセルを優先的に選択するセル選択アルゴリズムを用いている。
【００１６】
また、本発明の移動体通信システムでは、高速なダウンリンクのＨＳＤＰＡサービスを提供可能なＨＳ−ＤＳＣＨセルにおいて、その時点での新規ＨＳＤＰＡサービスの提供が可能であるかどうかを示すＨＳ−ＤＳＣＨブロック状態フラグと、高速なダウンリンクのＨＳＤＰＡサービスだけでなく高速なアップリンクのＨＳＵＰＡサービスをＥ−ＤＣＨ／ＨＳ−ＤＳＣＨセルにおいて新規ＨＳＵＰＡサービスの提供が可能であるかどうかを示すＥ−ＤＣＨブロック状態フラグ、そして全てのセルの階層化優先度（Ｈｉｅｒａｒｃｈｉｃａｌ  Ｃｅｌｌ  Ｓｔｒｕｃｔｕｒｅ  Ｐｒｉｏｒｉｔｙ：ＨＣＳ＿ＰＲＩＯ）を評価するセル選択アルゴリズムを用いている。
【００１７】
さらに、本発明の移動体通信システムでは、ＲＮＣにおいて、Ｅ−ＤＣＨ／ＨＳ−ＤＳＣＨサービス実施不可ＵＥ、ＨＳ−ＤＳＣＨ可能ＵＥ、Ｅ−ＤＣＨ／ＨＳ−ＤＳＣＨ可能ＵＥのいずれであるかを判定するために、ＲＮＣ内部データにおいてハイスピードサービス対象とする確立理由を保持し、ＵＥからの最初の無線接続要求［ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ］メッセージに示されるＵＥの能力やＵＥのサポートするバージョン、ＵＥが開始しようとするサービス種別や、確立理由、プロトコルエラー有無を評価するセル選択アルゴリズムを用いている。
【００１８】
さらにまた、本発明の移動体通信システムでは、ＲＮＣが制御する全てのセルの負荷情報を管理しており、このセル選択アルゴリズムによって該当ＵＥに選択されたセルにおいて、そのＵＥがそのセルで確立可能であるかどうか、ＵＥの追加がもたらす負荷増と事前に設定された閾値とを比較し、閾値よりもセル負荷が超過する場合に、別の候補セルを選択するセル選択アルゴリズムを用いている。
【００１９】
本発明の移動体通信システムでは、図１に示すＩＭＴ２０００システムアーキテクチャにおいて、ＲＮＣが、同一アンテナにおいて周波数の異なるＥ−ＤＣＨ／ＨＳ−ＤＳＣＨサービス提供不可セルと、ＨＳ−ＤＳＣＨセルと、Ｅ−ＤＣＨ／ＨＳ−ＤＳＣＨセルとを混在し、同一エリアに混在するＥ−ＤＣＨ／ＨＳ−ＤＳＣＨサービス実施不可ＵＥと、ＨＳ−ＤＳＣＨ可能ＵＥと、Ｅ−ＤＣＨ／ＨＳ−ＤＳＣＨ可能ＵＥとに対し、それぞれのＵＥの能力に応じたチャネルを割り当て、周波数利用効率のよいパケットサービスを提供することを可能としている。
【００２０】
このようにして、本発明のセル選択アルゴリズムでは、ＲＮＣが基地局の同一アンテナにおいて制御する、周波数の異なるＥ−ＤＣＨ／ＨＳ−ＤＳＣＨサービス提供不可セル、Ｅ−ＤＣＨ／ＨＳ−ＤＳＣＨセル、ＨＳＤＰＡ／ＨＳ−ＤＳＣＨセルといったセル種別情報と、高速なダウンリンクのＨＳＤＰＡサービスを提供可能なＨＳ−ＤＳＣＨセルにおいてその時点での新規ＨＳＤＰＡサービスの提供が可能であるかどうかを示すＨＳ−ＤＳＣＨブロック状態フラグと、高速なダウンリンクのＨＳＤＰＡサービスだけでなく高速なアップリンクのＨＳＵＰＡサービスを提供可能なＥ−ＤＣＨ／ＨＳ−ＤＳＣＨセルにおいて新規ＨＳＵＰＡサービスの提供が可能であるかどうかを示すＥ−ＤＣＨブロック状態フラグ、そして各セルの階層化優先度（ＨＣＳ＿ＰＲＩＯ）といったセル情報と、ＲＮＣが制御する全てのセルの負荷情報と、ＲＮＣとしてハイスピードサービス対象とする確立理由の内部データ、ＵＥからの最初の無線接続要求（ＲＲＣ  Ｃｏｎｎｅｃｔｉｏｎ  Ｒｅｑｕｅｓｔ）メッセージに示されるＵＥの能力やＵＥのサポートするバージョン、ＵＥが開始しようとするサービス種別や、確立理由、プロトコルエラー有無、ＵＥがサポートする全ての周波数帯情報といったＵＥ情報とを評価している。
【００２１】
これによって、本発明のセル選択アルゴリズムでは、
１．最初の無線接続要求（ＲＲＣ  Ｃｏｎｎｅｃｔｉｏｎ  Ｒｅｑｕｅｓｔ）メッセージ受信時
２．パケットサービスを共通チャネルで接続中に、ＵＥからのトラフィック増加報告受信もしくはＲＮＣ内部の転送バッファ増加検出による、共通チャネルから個別チャネルへのチャネルタイプ変更［ＣＴＳ  ＦＡＣＨ（Ｆｏｒｗａｒｄ  Ａｃｃｅｓｓ  Ｃｈａｎｎｅｌ）  ｔｏ  ＤＣＨ］時
３．ＵＥより現在のセルの周波数帯の品質劣化報告を受信し、同一アンテナの異周波数セルへ異周波数間ＨＯ（ＨａｎｄＯｖｅｒ：ハンドオーバ）を実施時
４．ＲＲＣ  Ｃｏｎｎｅｃｔｉｏｎを共通チャネルで接続中に、コアネットワーク（ＣＮ）よりサービス接続要求［ＲＡＢ（Ｒａｄｉｏ  Ａｃｃｅｓｓ  Ｂｅａｒｅｒ）  Ａｓｓｉｇｎｍｅｎｔ  Ｒｅｑｕｅｓｔ］メッセージ受信時
という契機で、Ｅ−ＤＣＨ／ＨＳ−ＤＳＣＨサービス実施不可ＵＥにはＥ−ＤＣＨ／ＨＳ−ＤＳＣＨサービス提供不可セルを優先的に選択し、ＨＳ−ＤＳＣＨ可能ＵＥにはＨＳ−ＤＳＣＨセルを優先的に選択し、Ｅ−ＤＣＨ／ＨＳ−ＤＳＣＨ可能ＵＥにはＥ−ＤＣＨ／ＨＳ−ＤＳＣＨセルを優先的に選択することが可能となる。
【発明の効果】
【００２２】
本発明は、上記のような構成及び動作とすることで、ＵＥが実施可能なサービスに応じて、そのＵＥをサービスの提供が可能なセルに確立させるようにすることができるという効果が得られる。
【発明を実施するための最良の形態】
【００２３】
次に、本発明の実施の形態について図面を参照して説明する。図１は本発明の実施の形態による移動体通信システムの構成を示すブロック図である。図１において、本発明の実施の形態による移動体通信システムは、ＲＮＣ（Ｒａｄｉｏ  Ｎｅｔｗｏｒｋ  Ｃｏｎｔｒｏｌｌｅｒ：無線基地制御局）１と、基地局２，３と、Ｅ−ＤＣＨ［Ｅｎｈａｎｃｅｄ  ｕｐｌｉｎｋ  ＤＣＨ（Ｄｅｄｉｃａｔｅｄ  Ｃｈａｎｎｅｌ）］／ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）サービス実施不可ＵＥ（Ｕｓｅｒ  Ｅｑｕｉｐｍｅｎｔ：移動端末）４と、ＨＳ−ＤＳＣＨ可能（ＨＳ−ＤＳＣＨ  Ｃａｐａｂｌｅ）ＵＥ５とＥ−ＤＣＨ／ＨＳ−ＤＳＣＨ可能（Ｅ−ＤＣＨ／ＨＳ−ＤＳＣＨ  Ｃａｐａｂｌｅ）ＵＥ６とから構成されている。
【００２４】
ＲＮＣ１は、同一アンテナにおいて周波数の異なるＥ−ＤＣＨ／ＨＳ−ＤＳＣＨサービス提供不可セルと、ＨＳ−ＤＳＣＨセルと、Ｅ−ＤＣＨ／ＨＳ−ＤＳＣＨセルとを混在し、同一エリアに混在するＥ−ＤＣＨ／ＨＳ−ＤＳＣＨサービス実施不可ＵＥ４とＨＳ−ＤＳＣＨ可能ＵＥ５とＥ−ＤＣＨ／ＨＳ−ＤＳＣＨ可能ＵＥ６とに対し、それぞれのＵＥの能力に応じたチャネルを割り当て、周波数利用効率のよいパケットサービスを提供することを可能としている。
【００２５】
このように、本発明の実施の形態による移動体通信システムでは、セル選択アルゴリズムにおいて、ＲＮＣ１が基地局２，３の同一アンテナにおいて制御する、周波数の異なるＥ−ＤＣＨ／ＨＳ−ＤＳＣＨサービス提供不可セル、Ｅ−ＤＣＨ／ＨＳ−ＤＳＣＨセル、ＨＳＤＰＡ／ＨＳ−ＤＳＣＨセルといったセル種別情報と、高速なダウンリンクのＨＳＤＰＡ（Ｈｉｇｈ−Ｓｐｅｅｄ  Ｄｏｗｎｌｉｎｋ  Ｐａｃｋｅｔ  Ａｃｃｅｓｓ）サービスを提供可能なＨＳ−ＤＳＣＨセルにおいてその時点での新規ＨＳＤＰＡサービスの提供が可能であるかどうかを示すＨＳ−ＤＳＣＨブロック状態フラグと、高速なダウンリンクのＨＳＤＰＡサービスだけでなく高速なアップリンクのＨＳＵＰＡ（Ｈｉｇｈ−Ｓｐｅｅｄ  Ｕｐｌｉｎｋ  Ｐａｃｋｅｔ  Ａｃｃｅｓｓ）サービスをＥ−ＤＣＨ／ＨＳ−ＤＳＣＨセルにおいて新規ＨＳＵＰＡサービスの提供が可能であるかどうかを示すＥ−ＤＣＨブロック状態フラグと、そして各セルの階層化優先度（ＨＣＳ＿ＰＲＩＯ：Ｈｉｅｒａｒｃｈｉｃａｌ  Ｃｅｌｌ  Ｓｔｒｕｃｔｕｒｅ  Ｐｒｉｏｒｉｔｙ）といったセル情報と、ＲＮＣ１が制御する全てのセルの負荷情報と、ＲＮＣ１としてハイスピードサービス対象とする確立理由の内部データと、ＵＥからの最初の無線接続要求［ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｑｕｅｓｔ］メッセージに示されるＵＥの能力やＵＥのサポートするバージョンと、ＵＥが開始しようとするサービス種別や確立理由と、プロトコルエラー有無と、ＵＥがサポートする全ての周波数帯情報といったＵＥ情報とを評価している。
【００２６】
これによって、本発明の実施の形態による移動体通信システムでは、セル選択アルゴリズムにおいて、
１．最初の無線接続要求（ＲＲＣ  Ｃｏｎｎｅｃｔｉｏｎ  Ｒｅｑｕｅｓｔ）メッセージ受信時
２．パケットサービスを共通チャネルで接続中に、ＵＥからのトラフィック増加報告受信もしくはＲＮＣ１内部の転送バッファ増加検出による、共通チャネルから個別チャネルへのチャネルタイプ変更［ＣＴＳ  ＦＡＣＨ（Ｆｏｒｗａｒｄ  Ａｃｃｅｓｓ  Ｃｈａｎｎｅｌ）  ｔｏ  ＤＣＨ］時
３．ＵＥより現在のセルの周波数帯の品質劣化報告を受信し、同一アンテナの異周波数セルへ異周波数間ＨＯを実施時
４．ＲＲＣ  Ｃｏｎｎｅｃｔｉｏｎを共通チャネルで接続中に、コアネットワーク（ＣＮ）よりサービス接続要求［ＲＡＢ（Ｒａｄｉｏ  Ａｃｃｅｓｓ  Ｂｅａｒｅｒ）  Ａｓｓｉｇｎｍｅｎｔ  Ｒｅｑｕｅｓｔ］メッセージ受信時
という契機で、Ｅ−ＤＣＨ／ＨＳ−ＤＳＣＨサービス実施不可ＵＥ４にＥ−ＤＣＨ／ＨＳ−ＤＳＣＨサービス提供不可セルを優先的に選択し、ＨＳ−ＤＳＣＨ可能ＵＥ５にＨＳ−ＤＳＣＨセルを優先的に選択し、Ｅ−ＤＣＨ／ＨＳ−ＤＳＣＨ可能ＵＥ６にＥ−ＤＣＨ／ＨＳ−ＤＳＣＨセルを優先的に選択することができる。
【実施例１】
【００２７】
図２は本発明の第１の実施例によるＲＮＣの内部構成を示すブロック図である。本発明の第１の実施例による移動体通信システムは、上述した図１に示す本発明の実施の形態による移動体通信システムと同様の構成となっており、図２は図１に示すＲＮＣ１の内部構成を示している。
【００２８】
図２において、ＲＮＣ１は、セル選択処理部１１とＵＥ情報処理部１２とを備え、セル情報１３と、ＵＥ情報１４と、ＲＮＣ１としてハイスピードサービス対象とする確立理由の内部データ（以下、内部データとする）１５と、ＲＮＣ１としてＨＳＤＰＡを可能とするかどうかを示すフラグ（Ｆｌａｇ）（以下、フラグとする）１６とを保持している。
【００２９】
セル選択処理部１１は、ＵＥ情報処理部１２から取得する情報と、セル情報１３、ＵＥ情報１４、内部データ１５から取得する情報とを基に、Ｅ−ＤＣＨ／ＨＳ−ＤＳＣＨサービス実施不可ＵＥ４にＥ−ＤＣＨ／ＨＳ−ＤＳＣＨサービス提供不可セルを優先的に選択し、ＨＳ−ＤＳＣＨ可能ＵＥ５にＨＳ−ＤＳＣＨセルを優先的に選択し、Ｅ−ＤＣＨ／ＨＳ−ＤＳＣＨ可能ＵＥ６にＥ−ＤＣＨ／ＨＳ−ＤＳＣＨセルを優先的に選択することとなる。
【００３０】
図３は図２に示すセル情報１３の詳細な構成を示す図である。図３において、ＲＮＣ１は全てのセルに対し、異周波数隣接セル情報と同一アンテナであるかどうかの情報、それらのセルのＨＣＳ＿ＰＲＩＯ、セルが提供可能なサービス種別情報、その時点においてＨＳＤＰＡサービスが提供可能であるかどうかを示すＨＳ−ＤＳＣＨブロック状態フラグ、ＨＳＵＰＡサービスが提供可能であるかどうかを示すＥ−ＤＣＨブロック状態フラグ、セル負荷情報をセル情報１３として保持する。
【００３１】
ＨＣＳ＿ＰＲＩＯは、該当する基地局から報知情報として送信されるシステム情報として含められる値である。ＵＥはＨＣＳ＿ＰＲＩＯの高い順序にしたがって、ＵＥ主導で利用可能なセルを選択して無線接続要求をＲＮＣ１に送信するため、ＲＮＣ１はセル構成時に、Ｅ−ＤＣＨ／ＨＳ−ＤＳＣＨサービス提供不可セルのＨＣＳ＿ＰＲＩＯを高い値に設定し、ＨＳ−ＤＳＣＨセルやＥ−ＤＣＨ／ＨＳ−ＤＳＣＨセルのＨＣＳ＿ＰＲＩＯを低い値に設定する。
【００３２】
提供可能なサービス種別としては、低レートサービスのみ可能なＥ−ＤＣＨ／ＨＳ−ＤＳＣＨサービス提供不可セルと、ダウンリンクにＨＳＤＰＡサービスが可能なＨＳ−ＤＳＣＨセルと、アップリンク／ダウンリンクそれぞれにＨＳＤＰＡ／ＨＳＵＰＡサービスが可能なＥ−ＤＣＨ／ＨＳ−ＤＳＣＨセルとが存在する。
【００３３】
ＨＳ−ＤＳＣＨブロック状態フラグは、ＨＳＤＰＡに提供可能なリソースやダウンリンクにＨＳＤＰＡサービスを使用するユーザ数に応じて、ＲＮＣ１内部のリソース管理部（図示せず）がＴＲＵＥ／ＦＡＬＳＥを決定する。ＨＳ−ＤＳＣＨセルのＨＳ−ＤＳＣＨブロック状態フラグがＴＲＵＥの場合には、ＨＳ−ＤＳＣＨセルにおけるＨＳＤＰＡサービスを提供できず、ダウンリンクには、低レートサービスのみＵＥに確立可能である。ＨＳ−ＤＳＣＨセルのＨＳ−ＤＳＣＨブロック状態フラグがＦＡＬＳＥの場合には、そのＨＳ−ＤＳＣＨセルにおけるＨＳＤＰＡサービスが提供可能である。
【００３４】
Ｅ−ＤＣＨブロック状態フラグは、ＨＳＵＰＡに提供可能なリソースやアップリンクにＨＳＵＰＡサービスを使用するユーザ数に応じて、ＲＮＣ１内部のリソース管理部がＴＲＵＥ／ＦＡＬＳＥを決定する。Ｅ−ＤＣＨ／ＨＳ−ＤＳＣＨセルのＥ−ＤＣＨブロック状態フラグがＴＲＵＥの場合には、Ｅ−ＤＣＨ／ＨＳ−ＤＳＣＨセルにおけるＨＳＵＰＡサービスを提供できず、アップリンクには、低レートサービスのみＵＥに確立可能である。Ｅ−ＤＣＨ／ＨＳ−ＤＳＣＨセルのＥ−ＤＣＨブロック状態フラグがＦＡＬＳＥの場合には、Ｅ−ＤＣＨ／ＨＳ−ＤＳＣＨセルにおけるＨＳＵＰＡサービスが提供可能である。
【００３５】
図４は図２に示すＵＥ情報１４の詳細な構成を示す図である。図４において、ＲＮＣ１はＵＥの現存するセルの情報をＵＥ情報１４として保持する。ＵＥの現存するセル情報とは、ＲＲＣ  Ｃｏｎｎｅｃｔｉｏｎ  Ｒｅｑｕｅｓｔメッセージの送信に使用された共通チャネルを含むセルを指している。
【００３６】
図５は図２に示すＵＥ情報処理部１２において処理される最初の無線接続要求（ＲＲＣ  Ｃｏｎｎｅｃｔｉｏｎ  Ｒｅｑｕｅｓｔ）メッセージの詳細な構成を示す図である。図５において、ＲＲＣ  Ｃｏｎｎｅｃｔｉｏｎ  Ｒｅｑｕｅｓｔメッセージには、確立要求（Ｅｓｔａｂｌｉｓｈｍｅｎｔ  Ｃａｕｓｅ）、プロトコルエラー有無（Ｐｒｏｔｏｃｏｌ  Ｅｒｒｏｒ  Ｉｎｄｉｃａｔｏｒ）、ＵＥの能力（ＵＥ  Ｃａｐａｂｉｌｉｔｙ  Ｉｎｆｏｒｍａｔｉｏｎ）、ＵＥのバージョン（Ａｃｃｅｓｓ  Ｓｔｒａｔｕｍ  Ｒｅｌｅａｓｅ  Ｉｎｄｉｃａｔｏｒ）が含まれている。
【００３７】
Ｅｓｔａｂｌｉｓｈｍｅｎｔ  Ｃａｕｓｅについては、音声通信呼発信（Ｏｒｉｇｉｎａｔｉｎｇ  Ｃｏｎｖｅｒｓａｔｉｏｎａｌ  Ｃａｌｌ）や、Ｉｎｔｅｒａｃｔｉｖｅ呼着信（Ｔｅｒｍｉｎａｔｉｎｇ  Ｉｎｔｅｒａｃｔｉｖｅ  Ｃａｌｌ）等、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ２５．３３１に定義された確立理由が設定される。
【００３８】
Ｐｒｏｔｏｃｏｌ  Ｅｒｒｏｒ  Ｉｎｄｉｃａｔｏｒについては、ＴＲＵＥ／ＦＡＬＳＥが存在する。このパラメータが設定されていない場合には、Ｐｒｏｔｏｃｏｌ  Ｅｒｒｏｒが発生していないこととみなされる。
【００３９】
ＵＥ  Ｃａｐａｂｉｌｉｔｙ  Ｉｎｆｏｒｍａｔｉｏｎについては、ＨＳ−ＤＳＣＨ＋Ｅ−ＤＣＨ、ＨＳ−ＤＳＣＨが存在する。このパラメータが設定されていない場合には、Ｅ／ＤＣＨ／ＨＳ−ＤＳＣＨサービス実施不可ＵＥ４としてみなされる。
【００４０】
Ａｃｃｅｓｓ  Ｓｔｒａｔｕｍ  Ｒｅｌｅａｓｅ  Ｉｎｄｉｃａｔｏｒについては、ＲＥＬ（Ｒｅｌｅａｃｅ）−４，ＲＥＬ−５，ＲＥＬ−６等が存在する。このパラメータが設定されていない場合には、Ｒ（Ｒｅｌｅａｃｅ）９９であることを指す。一般的に、ＨＳＤＰＡサービスはＡｃｃｅｓｓ  Ｓｔｒａｔｕｍ  Ｒｅｌｅａｓｅ  Ｉｎｄｉｃａｔｏｒが“ＲＥＬ−５”以降のＵＥが対応可能であり、ＨＳＵＰＡサービスは、Ａｃｃｅｓｓ  Ｓｔｒａｔｕｍ  Ｒｅｌｅａｓｅ  Ｉｎｄｉｃａｔｏｒが“ＲＥＬ−６”以降のＵＥが対応可能である。
【００４１】
図６は図２に示す内部データ１５の詳細な構成を示す図である。図６において、内部データ１５には３ＧＰＰ  ＴＳ２５．３３１に定義されているＥｓｔａｂｌｉｓｈｍｅｎｔ  ＣａｕｓｅのそれぞれにＴＲＵＥ／ＦＡＬＳＥ（“１”／“０”）の設定が、オペレータによって可能である。
【００４２】
図６に示す例では、Ｏｒｉｇｉｎａｔｉｎｇ  Ｈｉｇｈ  Ｐｒｉｏｒｉｔｙ  Ｓｉｇｎａｌｌｉｎｇ、Ｔｅｒｍｉｎａｔｉｎｇ  Ｂａｃｋｇｒｏｕｎｄ  Ｃａｌｌ、Ｔｅｒｍｉｎａｔｉｎｇ  Ｉｎｔｅｒａｃｔｉｖｅ  Ｃａｌｌ、Ｏｒｉｇｉｎａｔｉｎｇ  Ｓｕｂｓｃｒｉｂｅｄ  ｔｒａｆｆｉｃ  Ｃａｌｌ、Ｏｒｉｇｉｎａｔｉｎｇ  Ｂａｃｋｇｒｏｕｎｄ  Ｃａｌｌ、Ｏｒｉｇｉｎａｔｉｎｇ  Ｉｎｔｅｒａｃｔｉｖｅ  ＣａｌｌのＥｓｔａｂｌｉｓｈｍｅｎｔ  ＣａｕｓｅがＨＳＤＰＡもしくはＨＳＤＰＡ／ＨＳＵＰＡサービスの対象とする確立理由として、ＴＲＵＥ（“１”）に設定される。
【００４３】
図７は図２に示すセル選択処理部１１の詳細な構成を示すブロック図である。図７において、セル選択処理部１１は、セル負荷情報のみからＵＥにセルを選択するＬｏａｄ  Ｃｏｎｔｒｏｌ部１１１と、ＨＳＵＰＡサービスやＨＳＤＰＡサービスの提供を考慮するＵＥの差別化を考慮するＵＥ  Ｄｉｆｆｅｒｅｎｔｉａｔｉｏｎ処理部１１２とを備え、ＵＥ  Ｄｉｆｆｅｒｅｎｔｉａｔｉｏｎアルゴリズムを有効とするかどうかを示すフラグ（Ｆｌａｇ）１１３を内部データとして保持する。
【００４４】
以上、本実施例の構成について詳細に述べたが、図３の異周波数隣接セル情報の管理や、同一アンテナであることの情報、ＨＣＳ＿ＰＲＩＯの用途、セル負荷情報、セルが提供可能なサービス種別情報をＲＮＣ１の内部データ１５に保持すること自体は、当業者にとってよく知られており、また本発明とは直接関係しないが、本発明にてこれらの情報を使用している。
【００４５】
また、図４のＵＥの現存するセルの情報をＲＮＣ１の内部データ１５に保持すること自体は、当業者にとってよく知られており、また本発明とは直接関係しないが、本発明にてこれらの情報を使用している。
【００４６】
さらに、図５の最初の無線接続要求（ＲＲＣ  Ｃｏｎｎｅｃｔｉｏｎ  Ｒｅｑｕｅｓｔ）メッセージの内容全ては、当業者にとってよく知られており、また本発明とは直接関係しないが、本発明にてこれらの情報を使用している。
【００４７】
さらにまた、図７のセル負荷情報のみからＵＥにセルを選択するＬｏａｄ  Ｃｏｎｔｒｏｌアルゴリズムは、当業者にとってよく知られており、また本発明とは直接関係しないため、その詳細な説明は省略する。
【００４８】
図８〜図１０は本発明の第１の実施例におけるＲＲＣ  Ｃｏｎｎｅｃｔｉｏｎ  Ｒｅｑｕｅｓｔメッセージ受信時のセル選択のＵＥ  Ｄｉｆｆｅｒｅｎｔｉａｔｉｏｎアルゴリズムの動作を示すフローチャートである。これら図８〜図１０を参照して図５のＲＲＣ  Ｃｏｎｎｅｃｔｉｏｎ  Ｒｅｑｕｅｓｔメッセージ受信時のセル選択のＵＥ  Ｄｉｆｆｅｒｅｎｔｉａｔｉｏｎアルゴリズムの動作について説明する。
【００４９】
ＲＮＣ１がＲＲＣ  Ｃｏｎｎｅｃｔｉｏｎ  Ｒｅｑｕｅｓｔメッセージを受信すると、まず、図３及び図４よりＵＥの現在のセル現在のセルと同一アンテナの同一周波数帯のセルとを取得し、ＵＥ  Ｄｉｆｆｅｒｅｎｔｉａｔｉｏｎアルゴリズムを開始する（図８ステップＳ１）。
【００５０】
ＲＮＣ１はＨＳＤＰＡを可能とするかどうかを示すフラグをチェックし（図８ステップＳ２）、無効（ＦＡＬＳＥ）である場合、図７に示すＬｏａｄ  Ｃｏｎｔｒｏｌアルゴリズムにてセルを選択する（図８ステップＳ６）。
【００５１】
ＲＮＣ１は有効（ＴＲＵＥ）である場合、ＵＥの現存するセルと同一アンテナである異周波隣接セルが少なくとも一つあるかどうかをチェックし（図８ステップＳ３）、ない場合は図７に示すＬｏａｄ  ＣｏｎｔｒｏｌアルゴリズムにてＵＥの現存するセルを選択する（図８ステップＳ６）。
【００５２】
ＲＮＣ１は異周波隣接セルが少なくとも一つある場合、ＵＥの現存するセルとその同一アンテナの異周波数隣接セルの中に少なくとも一つＨＳ−ＤＳＣＨセルもしくはＥ−ＤＣＨ／ＨＳ−ＤＳＣＨセルが存在するかどうかをチェックし（図８ステップＳ４）、存在しなければ、図７に示すＬｏａｄ  Ｃｏｎｔｒｏｌアルゴリズムよりセルを選択する（図８ステップＳ６）。
【００５３】
ＲＮＣ１はＨＳ−ＤＳＣＨセルもしくはＥ−ＤＣＨ／ＨＳ−ＤＳＣＨセルが存在する場合、ＵＥ  Ｄｉｆｆｅｒｅｎｔｉａｔｉｏｎアルゴリズムの有効フラグをチェックし（図８ステップＳ５）、無効（ＦＡＬＳＥ）である場合、図７に示すＬｏａｄ  Ｃｏｎｔｒｏｌアルゴリズムにてセルを選択する（図８ステップＳ６）。
【００５４】
ＲＮＣ１は有効（ＴＲＵＥ）である場合、図５よりＡｃｃｅｓｓ  Ｓｔｒａｔｕｍ  Ｒｅｌｅａｓｅ  Ｉｎｄｉｃａｔｏｒをチェックする（図９ステップＳ７）。ＲＮＣ１はＲＥＬ−５  ｏｒ  ＲＥＬ−６以外（ＥＬＳＥ）の場合、Ｅ−ＤＣＨ／ＨＳ−ＤＳＣＨサービス実施不可ＵＥ４のセル選択アルゴリズム＜Ａ＞を実施する（図９ステップＳ１２）。
【００５５】
ＲＮＣ１はＲＥＬ−５  ｏｒ  ＲＥＬ−６の場合、図５のＥｓｔａｂｌｉｓｈｍｅｎｔ  Ｃａｕｓｅと、図６の内部データ１５とを比較し（図９ステップＳ８）、図５のＥｓｔａｂｌｉｓｈｍｅｎｔ  Ｃａｕｓｅに該当する内部データ１５の値がＦＡＬＳＥ（“０”）の場合、Ｅ−ＤＣＨ／ＨＳ−ＤＳＣＨサービス実施不可ＵＥ４のセル選択アルゴリズム＜Ａ＞を実施する（図９ステップＳ１２）。
【００５６】
ＲＮＣ１は図５のＥｓｔａｂｌｉｓｈｍｅｎｔ  Ｃａｕｓｅに該当する内部データ１５の値がＴＲＵＥ（“１”）の場合、図５のＰｒｏｔｏｃｏｌ  Ｅｒｒｏｒ  Ｉｎｄｉｃａｔｏｒをチェックする（図９ステップＳ１０）。ＲＮＣ１はＴＲＵＥが設定されている場合、現在のセル以外のセルへのＲＲＣ  Ｃｏｎｎｅｃｔｉｏｎ確立ができないＵＥとみなし、Ｅ−ＤＣＨ／ＨＳ−ＤＳＣＨサービス実施不可ＵＥ４のセル選択アルゴリズム＜Ａ＞を実施する（図９ステップＳ１２）。
【００５７】
ＲＮＣ１はＦＡＬＳＥ  Ｎｏｔ  Ｅｘｉｓｔが設定されている場合、図５のＡｃｃｅｓｓ  Ｓｔｒａｔｕｍ  Ｒｅｌｅａｓｅ  Ｉｎｄｉｃａｔｏｒを再度チェックする（図９ステップＳ１０）。ＲＮＣ１はＲＥＬ−５の場合、ＨＳ−ＤＳＣＨ可能ＵＥ５のセル選択アルゴリズム＜Ｂ＞を実施する（図９ステップＳ１１）。
【００５８】
ＲＮＣ１はＲＥＬ−６の場合、図５のＵＥ  Ｃａｐａｂｉｌｉｔｙ  Ｉｎｆｏｒｍａｔｉｏｎをチェックする（図１０ステップＳ１３）。ＲＮＣ１はＨＳ−ＤＳＣＨ＋Ｅ−ＤＣＨの場合、Ｅ−ＤＣＨ／ＨＳ−ＤＳＣＨ可能ＵＥ６のセル選択アルゴリズム＜Ｃ＞を実施する（図１０ステップＳ１４）。ＲＮＣ１はＨＳ−ＤＳＣＨの場合、ＨＳ−ＤＳＣＨ可能ＵＥ５のセル選択アルゴリズム＜Ｂ＞を実施する（図９ステップＳ１１）。
【００５９】
ＲＮＣ１はＵＥ  Ｃａｐａｂｉｌｉｔｙ  Ｉｎｆｏｒｍａｔｉｏｎが設定されていない（Ｎｏｔ  Ｅｘｉｓｔ）場合、Ｅ−ＤＣＨ／ＨＳ−ＤＳＣＨサービス実施不可ＵＥ４のセル選択アルゴリズム＜Ａ＞を実施する（図９ステップＳ１２）。
【００６０】
次に、Ｅ−ＤＣＨ／ＨＳ−ＤＳＣＨサービス実施不可ＵＥ４のセル選択アルゴリズム＜Ａ＞、ＨＳ−ＤＳＣＨ可能ＵＥ５のセル選択アルゴリズム＜Ｂ＞、Ｅ−ＤＣＨ／ＨＳ−ＤＳＣＨ可能ＵＥ６のセル選択アルゴリズム＜Ｃ＞のセルリストについて、図３からＵＥがＲＲＣ  Ｃｏｎｎｅｃｔｉｏｎ  Ｒｅｑｕｅｓｔの送信に使用した現在のセル情報と、図３からＵＥの現存するセル及びその同一アンテナかつ同一周波数帯の異周波数隣接セルのセル情報とを用いて説明する。
【００６１】
Ｅ−ＤＣＨ／ＨＳ−ＤＳＣＨサービス実施不可ＵＥ４のセル選択アルゴリズム＜Ａ＞用のセルリスト［Ｅ−ＤＣＨ／ＨＳ−ＤＳＣＨサービス実施不可Ｉｎｔｅｒ  Ｆｒｅｑｕｅｎｃｙ  Ｃｅｌｌ  Ｌｉｓｔ］では、ＵＥの現存するセルと同一アンテナの異周波数隣接セルを次の３つのソートキーにて並べる。
【００６２】
第一ソートキーは、Ｅ−ＤＣＨ／ＨＳ−ＤＳＣＨサービス提供不可セル、ＨＳ−ＤＳＣＨセル、Ｅ−ＤＣＨ／ＨＳ−ＤＳＣＨセルの順序であり、第二ソートキーは、ＨＣＳ＿ＰＲＩＯの降順（大きい値が優先）であり、第三ソートキーは、ダウンリンク周波数もしくはＤＬ  ＵＡＲＦＣＮ（ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）の降順（大きい値が優先）である。
【００６３】
ＨＳ−ＤＳＣＨ可能ＵＥ５のセル選択アルゴリズム＜Ｂ＞用のセルリスト［ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔ］では、ＵＥの現存するセルと同一アンテナの異周波数隣接セルを次の３つのソートキーにて並べる。
【００６４】
第一ソートキーは、ＨＳ−ＤＳＣＨブロック状態フラグがＦＡＬＳＥのＨＳ−ＤＳＣＨセル、ＨＳ−ＤＳＣＨブロック状態フラグがＦＡＬＳＥのＥ−ＤＣＨ／ＨＳ−ＤＳＣＨセル、ＨＳ−ＤＳＣＨブロック状態フラグがＴＲＵＥのＨＳ−ＤＳＣＨセル、ＨＳ−ＤＳＣＨブロック状態フラグがＴＲＵＥのＥ−ＤＣＨ／ＨＳ−ＤＳＣＨセル、Ｅ−ＤＣＨ／ＨＳ−ＤＳＣＨサービス提供不可セルの順序であり、第二ソートキーは、ＨＣＳ＿ＰＲＩＯの降順であり、第三ソートキーは、ダウンリンク周波数もしくはＤＬ  ＵＡＲＦＣＮの降順である。
【００６５】
Ｅ−ＤＣＨ／ＨＳ−ＤＳＣＨ可能ＵＥ６のセル選択アルゴリズム＜Ｃ＞用のセルリスト［Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔ］では、ＵＥの現存するセルと同一アンテナの異周波数隣接セルを次の３つのソートキーにて並べる。
【００６６】
第一ソートキーは、ＨＳ−ＤＳＣＨブロック状態フラグとＥ−ＤＣＨブロック状態フラグとの両方がＦＡＬＳＥのＥ−ＤＣＨ／ＨＳ−ＤＳＣＨセル、ＨＳ−ＤＳＣＨブロック状態フラグがＦＡＬＳＥでＥ−ＤＣＨブロック状態フラグがＴＲＵＥのＥ−ＤＣＨ／ＨＳ−ＤＳＣＨセル、ＨＳ−ＤＳＣＨブロック状態フラグがＴＲＵＥのＥ−ＤＣＨ／ＨＳ−ＤＳＣＨセル、ＨＳ−ＤＳＣＨブロック状態フラグがＦＡＬＳＥのＨＳ−ＤＳＣＨセル、ＨＳ−ＤＳＣＨブロック状態フラグがＴＲＵＥのＨＳ−ＤＳＣＨセル、Ｅ−ＤＣＨ／ＨＳ−ＤＳＣＨサービス提供不可セルの順序であり、第二ソートキーは、ＨＣＳ＿ＰＲＩＯの降順であり、第三ソートキーは、ダウンリンク周波数もしくはＤＬ  ＵＡＲＦＣＮの降順である。
【００６７】
図１１は本発明の第１の実施例におけるＥ−ＤＣＨ／ＨＳ−ＤＳＣＨサービス実施不可ＵＥ４のセル選択アルゴリズム＜Ａ＞の動作を示すフローチャートであり、図１２は本発明の第１の実施例におけるＨＳ−ＤＳＣＨ可能ＵＥ５のセル選択アルゴリズム＜Ｂ＞の動作を示すフローチャートであり、図１３は本発明の第１の実施例におけるＥ−ＤＣＨ／ＨＳ−ＤＳＣＨ可能ＵＥ６のセル選択アルゴリズム＜Ｃ＞の動作を示すフローチャートである。これら図１１〜図１３を参照してＥ−ＤＣＨ／ＨＳ−ＤＳＣＨサービス実施不可ＵＥ４のセル選択アルゴリズム＜Ａ＞、ＨＳ−ＤＳＣＨ可能ＵＥ５のセル選択アルゴリズム＜Ｂ＞、Ｅ−ＤＣＨ／ＨＳ−ＤＳＣＨ可能ＵＥ６のセル選択アルゴリズム＜Ｃ＞の最初のチェック対象セルの選択手順について説明する。
【００６８】
ＲＮＣ１は図１１に示すＥ−ＤＣＨ／ＨＳ−ＤＳＣＨサービス実施不可ＵＥ４のセル選択アルゴリズム＜Ａ＞において、ＵＥの現存するセルがＥ−ＤＣＨ／ＨＳ−ＤＳＣＨサービス提供不可セルではない場合（図１１ステップＳ２１）、そのＥ−ＤＣＨ／ＨＳ−ＤＳＣＨサービス実施不可ＵＥ４について、Ｌｏａｄ  Ｃｏｎｔｒｏｌアルゴリズムを適用する（図１１ステップＳ２４）。
【００６９】
ＲＮＣ１はＥ−ＤＣＨ／ＨＳ−ＤＳＣＨサービス提供不可セルの場合、最初のチェックセルをＵＥの現存するセルとして（図１１ステップＳ２２）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１１ステップＳ２３）。
【００７０】
ＲＮＣ１は図１２に示すＨＳ−ＤＳＣＨ可能ＵＥ５のセル選択アルゴリズム＜Ｂ＞において、ＵＥの現存するセルのＨＳ−ＤＳＣＨブロック状態フラグがＦＡＬＳＥのＨＳ−ＤＳＣＨセルの場合（図１２ステップＳ３１）、最初のチェックセルをＵＥの現存するセルとして（図１２ステップＳ３２）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１２ステップＳ４０）。
【００７１】
ＲＮＣ１はＨＳ−ＤＳＣＨブロック状態フラグがＦＡＬＳＥのＨＳ−ＤＳＣＨセル以外のセルの場合（図１２ステップＳ３１）、ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＦＡＬＳＥのＨＳ−ＤＳＣＨセルがある場合（図１２ステップＳ３３）、最初のチェックセルを、ＵＥの現存するセルのＨＣＳ＿ＰＲＩＯと同じもしくは以下の最も大きいＨＳ−ＤＳＣＨブロック状態フラグがＦＡＬＳＥのＨＳ−ＤＳＣＨセルとし、なければＵＥの現存するセルのＨＣＳ＿ＰＲＩＯの最も大きいＨＳ−ＤＳＣＨブロック状態フラグがＦＡＬＳＥのＨＳ−ＤＳＣＨセルとして（図１２ステップＳ３４）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１２ステップＳ４０）。
【００７２】
ＲＮＣ１はＨＳ−ＤＳＣＨブロック状態フラグがＦＡＬＳＥのＨＳ−ＤＳＣＨセルが一つもなければ（図１２ステップＳ３３）、ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＦＡＬＳＥのＥ−ＤＣＨ／ＨＳ−ＤＳＣＨセルがある場合（図１２ステップＳ３５）、最初のチェックセルを、ＵＥの現存するセルのＨＣＳ＿ＰＲＩＯと同じもしくは以下の最も大きいＨＳ−ＤＳＣＨブロック状態フラグがＦＡＬＳＥのＥ−ＤＣＨ／ＨＳ−ＤＳＣＨセルとし、なければＵＥの現存するセルのＨＣＳ＿ＰＲＩＯの最も大きいＨＳ−ＤＳＣＨブロック状態フラグがＦＡＬＳＥのＥ−ＤＣＨ／ＨＳ−ＤＳＣＨセルとして（図１２ステップＳ３６）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１２ステップＳ４０）。
【００７３】
ＲＮＣ１はＨＳ−ＤＳＣＨブロック状態フラグがＦＡＬＳＥのＥ−ＤＣＨ／ＨＳ−ＤＳＣＨセルが一つもなければ（図１２ステップＳ３５）、ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＴＲＵＥのＨＳ−ＤＳＣＨセルがある場合（図１２ステップＳ３７）、最初のチェックセルを、ＵＥの現存するセルのＨＣＳ＿ＰＲＩＯと同じもしくは以下の最も大きいＨＳ−ＤＳＣＨブロック状態フラグがＴＲＵＥのＨＳ−ＤＳＣＨセルとし、なければ、ＵＥの現存するセルのＨＣＳ＿ＰＲＩＯの最も大きいＨＳ−ＤＳＣＨブロック状態フラグがＴＲＵＥのＨＳ−ＤＳＣＨセルとして（図１２ステップＳ３８）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１２ステップＳ４０）。
【００７４】
ＲＮＣ１はＨＳ−ＤＳＣＨブロック状態フラグがＴＲＵＥのＨＳ−ＤＳＣＨセルが一つもなければ（図１２ステップＳ３７）、ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて、最初のチェックセルを、ＵＥの現存するセルのＨＣＳ＿ＰＲＩＯと同じもしくは以下の最も大きいＨＳ−ＤＳＣＨブロック状態フラグがＴＲＵＥのＥ−ＤＣＨ／ＨＳ−ＤＳＣＨセルとし、なければＵＥの現存するセルのＨＣＳ＿ＰＲＩＯの最も大きいＨＳ−ＤＳＣＨブロック状態フラグがＴＲＵＥのＥ−ＤＣＨ／ＨＳ−ＤＳＣＨセルとして（図１２ステップＳ３９）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１２ステップＳ４０）。
【００７５】
ＲＮＣ１は図１３に示すＥ−ＤＣＨ／ＨＳ−ＤＳＣＨ可能ＵＥ６のセル選択アルゴリズム＜Ｃ＞において、ＵＥの現存するセルがＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルの場合（図１３ステップＳ４１）、最初のチェックセルをＵＥの現存するセルとして（図１３ステップＳ４２）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００７６】
ＲＮＣ１はＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセル以外のセルの場合（図１３ステップＳ４１）、Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルがある場合（図１３ステップＳ４３）、最初のチェックセルを、ＵＥの現存するセルのＨＣＳ＿ＰＲＩＯと同じもしくは以下の最も大きいＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルとし、なければＵＥの現存するセルのＨＣＳ＿ＰＲＩＯの最も大きいＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルとして（図１３ステップＳ４４）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００７７】
ＲＮＣ１はＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルが一つもなければ（図１３ステップＳ４３）、Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルがある場合（図１３ステップＳ４５）、最初のチェックセルを、ＵＥの現存するセルのＨＣＳ＿ＰＲＩＯと同じもしくは以下の最も大きいＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルとし、なければＵＥの現存するセルのＨＣＳ＿ＰＲＩＯの最も大きいＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルとして（図１３ステップＳ４６）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００７８】
ＲＮＣ１はＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルが一つもなければ（図１３ステップＳ４５）、Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＴＲＵＥのＥ−ＤＣＨ／ＨＳ−ＤＳＣＨセルがある場合（図１３ステップＳ４７）、最初のチェックセルを、ＵＥの現存するセルのＨＣＳ＿ＰＲＩＯと同じもしくは以下の最も大きいＨＳ−ＤＳＣＨブロック状態フラグがＴＲＵＥのＥ−ＤＣＨ／ＨＳ−ＤＳＣＨセルとし、なければＵＥの現存するセルのＨＣＳ＿ＰＲＩＯの最も大きいＨＳ−ＤＳＣＨブロック状態フラグがＴＲＵＥのＥ−ＤＣＨ／ＨＳ−ＤＳＣＨセルとして（図１３ステップＳ４８）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００７９】
ＲＮＣ１はＨＳ−ＤＳＣＨブロック状態フラグがＴＲＵＥのＥ−ＤＣＨ／ＨＳ−ＤＳＣＨセルが一つもなければ（図１３ステップＳ４７）、Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて少なくとも一つＨＳ−ＤＳＣＨブロック状態フラグがＦＡＬＳＥのＨＳ−ＤＳＣＨセルがある場合（図１３ステップＳ４９）、最初のチェックセルを、ＵＥの現存するセルのＨＣＳ＿ＰＲＩＯと同じもしくは以下の最も大きいＨＳ−ＤＳＣＨブロック状態フラグがＦＡＬＳＥのＨＳ−ＤＳＣＨセルとし、なければＵＥの現存するセルのＨＣＳ＿ＰＲＩＯの最も大きいＨＳ−ＤＳＣＨ  ブロック状態フラグがＦＡＬＳＥのＨＳ−ＤＳＣＨセルとして（図１３ステップＳ５０）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００８０】
ＲＮＣ１はＨＳ−ＤＳＣＨブロック状態フラグがＦＡＬＳＥのＨＳ−ＤＳＣＨセルが一つもなければ（図１３ステップＳ４９）、Ｅ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔにおいて、最初のチェックセルを、ＵＥの現存するセルのＨＣＳ＿ＰＲＩＯと同じもしくは以下の最も大きいＨＳ−ＤＳＣＨブロック状態フラグがＴＲＵＥのＨＳ−ＤＳＣＨセルとし、なければＵＥの現存するセルのＨＣＳ＿ＰＲＩＯの最も大きいＨＳ−ＤＳＣＨブロック状態フラグがＴＲＵＥのＨＳ−ＤＳＣＨセルとして（図１３ステップＳ５１）、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞を実施する（図１３ステップＳ５２）。
【００８１】
図１４は本発明の第１の実施例におけるＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞の動作を示すフローチャートである。この図１４を参照して本発明の第１の実施例におけるＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞について説明する。
【００８２】
ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞の入力パラメータは図１１〜図１３の動作によって得られるチェックセルと、ＵＥ種別に応じたセルリスト、図４からＵＥがＲＲＣ  Ｃｏｎｎｅｃｔｉｏｎ  Ｒｅｑｕｅｓｔの送信に使用した現在のセル情報と、図３からＵＥの現存するセルとその同一アンテナかつ同一周波数帯の異周波数隣接セルのセル情報とを用いて開始される（図１４ステップＳ６１）。
【００８３】
ＲＮＣ１はチェックセルがＣｏｎｇｅｓｔｉｏｎ状態ではない（ＦＡＬＳＥ）場合（図１４ステップＳ６２）、チェックセルの負荷がＲＲＣ  Ｃｏｎｎｅｃｔｉｏｎ確立できないほど高くない場合（図１４ステップＳ６３）、チェックセルをセル選択アルゴリズムによって選択し、アルゴリズム結果を成功とする（図１４ステップＳ６４）。
【００８４】
ＲＮＣ１はチェックセルがＣｏｎｇｅｓｔｉｏｎ状態の場合（図１４ステップＳ６２）、あるいはチェックセルの負荷がＲＲＣ  Ｃｏｎｎｅｃｔｉｏｎ確立できないほど高い場合（図１４ステップＳ６３）、ＵＥ種別に応じたセルリストのうち、まだ一度もセル選択アルゴリズム＜Ｄ＞においてチェックされていない先頭のセルをセルｋとする（図１４ステップＳ６５）。
【００８５】
ＲＮＣ１はセル‘ｋ’が存在する場合（図１４ステップＳ６６）、チェックセルをセル‘ｋ’とし（図１４ステップＳ６７）、ステップＳ６２の動作に戻る。  ＲＮＣ１はセル‘ｋ’が存在しない場合（図１４ステップＳ６６）、選択可能なセルは存在せず、アルゴリズム結果を失敗とする（図１４ステップＳ６８）。
【００８６】
上記のようにして、ＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞は、アルゴリズム結果と、選択セルとを出力する。
【００８７】
このように、本実施例では、ＲＲＣ  Ｃｏｎｎｅｃｔｉｏｎ  Ｒｅｑｕｅｓｔ受信時、ＲＮＣ１によるセル選択アルゴリズムが、Ｅ−ＤＣＨ／ＨＳ−ＤＳＣＨサービス実施不可ＵＥ４にＥ−ＤＣＨ／ＨＳ−ＤＳＣＨサービス提供不可セルを優先的に選択し、ＨＳ−ＤＳＣＨ可能ＵＥ５にＨＳ−ＤＳＣＨセルを優先的に選択し、Ｅ−ＤＣＨ／ＨＳ−ＤＳＣＨ可能ＵＥ６にＥ−ＤＣＨ／ＨＳ−ＤＳＣＨセルを優先的に選択しているので、ＵＥが実施可能なサービスに応じて、そのＵＥをサービスの提供が可能なセルに確立させるようにすることができる。
【００８８】
また、本実施例では、高速なダウンリンクのＨＳＤＰＡサービスを提供可能なＨＳ−ＤＳＣＨセルにおいて、その時点での新規ＨＳＤＰＡサービスの提供が可能であるかどうかを示すＨＳ−ＤＳＣＨブロック状態フラグと、高速なダウンリンクのＨＳＤＰＡサービスだけでなく高速なアップリンクのＨＳＵＰＡサービスを提供可能なＥ−ＤＣＨ／ＨＳ−ＤＳＣＨセルにおいて新規ＨＳＵＰＡサービスの提供が可能であるかどうかを示すＥ−ＤＣＨブロック状態フラグとの値に応じてセルを選択しているので、ＵＥが実施可能なサービスに応じて、そのＵＥを確立要求があった時点でサービスの提供が可能なセルに確立させるようにすることができる。
【００８９】
さらに、本実施例では、全てのセルのＨＣＳ＿ＰＲＩＯをＲＮＣ１が把握し、ＵＥが現存するセルのＨＣＳ＿ＰＲＩＯと同一アンテナの異周波数セルのＨＣＳ＿ＰＲＩＯとに応じて、ＵＥが現存するセルよりも高いＨＣＳ＿ＰＲＩＯの異周波数セルを低い優先度に選択しているので、ＵＥが確立要求を出す時に品質が悪いとみなした異周波数セルを極力選択させず、ＵＥにとって品質が良いと想定されるセルを優先的に選択することができる。
【００９０】
一方、本実施例では、ＵＥからの最初の無線接続要求（ＲＲＣ  Ｃｏｎｎｅｃｔｉｏｎ  Ｒｅｑｕｅｓｔ）メッセージに示されるＵＥの能力やＵＥのサポートするバージョン、ＵＥが開始しようとするサービス種別や、確立理由、プロトコルエラー有無、内部データ１５を使用しているので、ＲＮＣ１が事前にＵＥの提供可能なサービスを決定することができる。
【００９１】
また、本実施例では、ＲＮＣ１が制御する全てのセルの負荷情報を管理しており、このセル選択アルゴリズムによって該当ＵＥに選択されたセルにおいてそのＵＥがそのセルで確立可能であるかどうか、ＵＥの追加がもたらす負荷増と事前に設定された閾値と比較し、閾値よりもセル負荷が超過する場合、そのＵＥの能力に応じたセルリストにおいて、次の候補セルを選択するので、他のセルにおいてそのＵＥに対するＲＲＣ  Ｃｏｎｎｅｃｔｉｏｎの確立を保証することができる。
【実施例２】
【００９２】
本発明の第２の実施例は、その基本的構成が上記の本発明の第１の実施例と同様であるが、パケットサービスを共通チャネルで接続中のＵＥが、ＵＥからのトラフィック増加報告受信もしくはＲＮＣ内部の転送バッファ増加検出による、共通チャネルから個別チャネルへのチャネルタイプ変更（ＣＴＳ  ＦＡＣＨ  ｔｏ  ＤＣＨ）時のＵＥ  Ｄｉｆｆｅｒｅｎｔｉａｔｉｏｎアルゴリズムについてさらに工夫している。
【００９３】
図１５は本発明の第２の実施例によるＲＮＣの内部構成を示すブロック図である。図１５において、ＲＮＣ１ａはセル選択処理部１１を備え、セル情報１３と、ＵＥ情報１４と、ＲＮＣとしてＨＳＤＰＡを可能とするかどうかを示すフラグ（Ｆｌａｇ）１６とを保持している。これらセル情報１３と、セル選択処理部１１と、ＲＮＣとしてＨＳＤＰＡを可能とするかどうかを示すフラグ１６とについては、上記の本発明の第１の実施例と同じ内容である。
【００９４】
図１６は図１５に示すＵＥ情報１４の詳細な構成を示す図である。図１６において、ＲＮＣ１ａはＵＥの現存するセルの情報と、ＵＥ能力情報とをＵＥ情報１４として保持する。
【００９５】
ＵＥの現存するセルの情報は、ＲＲＣ  Ｃｏｎｎｅｃｔｉｏｎが接続されている共通チャネルを含むセルを示す。ＵＥ能力情報は、Ｅ−ＤＣＨ／ＨＳ−ＤＳＣＨサービス実施不可ＵＥ４、ＨＳ−ＤＳＣＨ可能ＵＥ５、Ｅ−ＤＣＨ／ＨＳ−ＤＳＣＨ可能ＵＥ６といった対応可能なパケットサービスを示しており、Ｅ−ＤＣＨ／ＨＳ−ＤＳＣＨサービス実施不可ＵＥ４が低レートサービスのみ可能、ＨＳ−ＤＳＣＨ可能ＵＥ５が低レートサービスとＨＳＤＰＡサービスとを可能、Ｅ−ＤＣＨ／ＨＳ−ＤＳＣＨ可能ＵＥ６が低レートサービスとＨＳＤＰＡサービスとＨＳＵＰＡ／ＨＳＤＰＡサービスとを可能とする。また、ＵＥ能力情報には、ＵＥが対応可能な全ての周波数帯情報も含まれる。これらは、ＲＲＣ  Ｃｏｎｎｅｃｔｉｏｎ接続時に、ＵＥからのＲＲＣ  Ｃｏｎｎｅｃｔｉｏｎ接続完了応答より決定される。
【００９６】
以上、本実施例によるＲＮＣ１ａの構成について述べたが、図１６に示すＵＥ能力の決定方法については、当業者にとってよく知られており、また本発明とは直接関係しないが、本発明にてこれらの情報を使用している。
【００９７】
図１７は本発明の第２の実施例におけるＣＴＳ  ＣｔｏＤ時のＵＥ  Ｄｉｆｆｅｒｅｎｔｉａｔｉｏｎアルゴリズムの動作を示すフローチャートである。この図１７を参照して本発明の第２の実施例におけるＣＴＳ  ＣｔｏＤ時のＵＥ  Ｄｉｆｆｅｒｅｎｔｉａｔｉｏｎアルゴリズムの動作について説明する。
【００９８】
ＲＮＣ１ａはパケットサービスを共通チャネルで接続中のＵＥが、ＵＥからのトラフィック増加報告受信もしくはＲＮＣ１ａ内部の転送バッファ増加検出による、共通チャネルから個別チャネルへのチャネルタイプ変更（ＣＴＳ  ＦＡＣＨ  ｔｏ  ＤＣＨ）時、ＵＥ  Ｄｉｆｆｅｒｅｎｔｉａｔｉｏｎアルゴリズムを開始する（図１７ステップＳ７１）。
【００９９】
ＲＮＣ１ａはＲＮＣとしてＨＳＤＰＡを可能とするかどうかを示すフラグ１６をチェックし（図１７ステップＳ７２）、無効（ＦＡＬＳＥ）である場合、図７に示すＬｏａｄ  Ｃｏｎｔｒｏｌアルゴリズムよりセルを選択する（図１７ステップＳ７６）。
【０１００】
ＲＮＣ１ａは有効（ＴＲＵＥ）である場合、ＵＥの現存するセルと、同一アンテナの異周波数セルの情報を図３より取得し、図１６のＵＥが対応可能な全ての周波数帯情報に含まれない周波数帯のセルを省く（図１７ステップＳ７３）。ＲＮＣ１ａは残ったセルのうち、少なくとも一つＨＳ−ＤＳＣＨセルもしくはＥ−ＤＣＨ／ＨＳ−ＤＳＣＨセルが存在するかどうかをチェックし（図１７ステップＳ７４）、存在しなければ、図７に示すＬｏａｄ  Ｃｏｎｔｒｏｌアルゴリズムよりセルを選択する（図１７ステップＳ７６）。
【０１０１】
ＲＮＣ１ａはＨＳ−ＤＳＣＨセルもしくはＥ−ＤＣＨ／ＨＳ−ＤＳＣＨセルが存在する場合、ＵＥ  Ｄｉｆｆｅｒｅｎｔｉａｔｉｏｎアルゴリズムの有効フラグをチェックし（図１７ステップＳ７５）、無効（ＦＡＬＳＥ）である場合、図７に示すＬｏａｄ  Ｃｏｎｔｒｏｌアルゴリズムよりセルを選択する（図１７ステップＳ７６）。
【０１０２】
ＲＮＣ１ａは図１４に示すＵＥ能力情報を確認し（図１７ステップＳ７７）、Ｅ−ＤＣＨ／ＨＳ−ＤＳＣＨサービス実施不可ＵＥ４であれば、Ｅ−ＤＣＨ／ＨＳ−ＤＳＣＨサービス実施不可ＵＥ４のセル選択アルゴリズム＜ＡＡ＞を実施する（図１７ステップＳ７９）。
【０１０３】
ＲＮＣ１ａはＨＳ−ＤＳＣＨ可能ＵＥ５であれば、ＨＳ−ＤＳＣＨ可能ＵＥ５のセル選択アルゴリズム＜ＢＢ＞を実施する（図１７ステップＳ８０）。ＲＮＣ１ａはＥ−ＤＣＨ／ＨＳ−ＤＳＣＨ可能ＵＥ６であれば、Ｅ−ＤＣＨ／ＨＳ−ＤＳＣＨ可能ＵＥ６のセル選択アルゴリズム＜ＣＣ＞を実施する（図１７ステップＳ７８）。
【０１０４】
Ｅ−ＤＣＨ／ＨＳ−ＤＳＣＨサービス実施不可ＵＥ４のセル選択アルゴリズム＜ＡＡ＞、ＨＳ−ＤＳＣＨ可能ＵＥ５のセル選択アルゴリズム＜ＢＢ＞、Ｅ−ＤＣＨ／ＨＳ−ＤＳＣＨ可能ＵＥ６のセル選択アルゴリズム＜ＣＣ＞のセルリストは、上述した本発明の第１の実施例において使用したソートキーを上記のステップＳ７３の動作にて残ったセルリストに対して使用して並び替えたものとする。
【０１０５】
次に、Ｅ−ＤＣＨ／ＨＳ−ＤＳＣＨサービス実施不可ＵＥ４のセル選択アルゴリズム＜ＡＡ＞、ＨＳ−ＤＳＣＨ可能ＵＥ５のセル選択アルゴリズム＜ＢＢ＞、Ｅ−ＤＣＨ／ＨＳ−ＤＳＣＨ可能ＵＥ６のセル選択アルゴリズム＜ＣＣ＞の最初のチェック対象セルの選択手順は、図１１〜図１３に示すフローチャートと等しく、最初のチェック対象セル時のＵＥ  Ｄｉｆｆｅｒｅｎｔｉａｔｉｏｎセル選択アルゴリズムは、ＣＴＳ  ＣｔｏＤ時のＵＥ  Ｄｉｆｆｅｒｅｎｔｉａｔｉｏｎセル選択アルゴリズム＜Ｅ＞を実施する。
【０１０６】
図１１においては、最初のチェック対象セルを選択後、ＤＣＨの初期レートとしてセルに追加となる負荷を計算する。
【０１０７】
図１２においては、最初のチェック対象セルを選択後、そのセルが、ＨＳ−ＤＳＣＨブロック状態フラグがＦＡＬＳＥのＨＳ−ＤＳＣＨセルもしくはＨＳ−ＤＳＣＨブロック状態フラグがＦＡＬＳＥのＥ−ＤＣＨ／ＨＳ−ＤＳＣＨセルであれば、ＨＳ−ＤＳＣＨの初期レートとしてセルに追加となる負荷を計算し、そうでなければ、ＤＣＨの初期レートとしてセルに追加となる負荷を計算する。
【０１０８】
図１３においては、最初のチェック対象セルを選択後、そのセルが、ＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルであれば、Ｅ−ＤＣＨ／ＨＳ−ＤＳＣＨとしてセルに追加となる負荷を計算する。そのセルが、ＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルもしくはＨＳ−ＤＳＣＨブロック状態フラグがＦＡＬＳＥのＨＳ−ＤＳＣＨセルであれば、ＨＳ−ＤＳＣＨの初期レートとしてセルに追加となる負荷を計算し、そうでなければ、ＤＣＨの初期レートとしてセルに追加となる負荷を計算する。
【０１０９】
図１８は本発明の第２の実施例におけるＣＴＳ  ＣｔｏＤ時のＵＥ  Ｄｉｆｆｅｒｅｎｔｉａｔｉｏｎセル選択アルゴリズム＜Ｅ＞の動作を示すフローチャートである。この図１８を参照して本発明の第２の実施例におけるＣＴＳ  ＣｔｏＤ時のＵＥ  Ｄｉｆｆｅｒｅｎｔｉａｔｉｏｎセル選択アルゴリズム＜Ｅ＞の動作について説明する。
【０１１０】
ＣＴＳ  ＣｔｏＤ時のＵＥ  Ｄｉｆｆｅｒｅｎｔｉａｔｉｏｎセル選択アルゴリズム＜Ｅ＞の入力パラメータは図１１〜図１３の動作によって得られるチェックセルと、ＵＥ種別に応じたセルリスト、図３から現在のセル情報、図３からＵＥの現存するセルとその同一アンテナかつ同一周波数帯の異周波数隣接セルのセル情報とを用いて開始される（図１８ステップＳ８１）。
【０１１１】
ＲＮＣ１ａはチェックセルがＣｏｎｇｅｓｔｉｏｎ状態ではない（ＦＡＬＳＥ）場合（図１８ステップＳ８２）、ＵＥ種別に応じたセルリストのうち、まだ一度もセル選択アルゴリズム＜Ｄ＞においてチェックされていない先頭のセルをセルｋとする（図１８ステップＳ８５）。
【０１１２】
ＲＮＣ１ａはＣｏｎｇｅｓｔｉｏｎ状態であれば（ＴＲＵＥ）（図１８ステップＳ８２）、チェックセルの負荷に対し、そのＵＥのための追加となる負荷が許容できないほど高くない場合（図１８ステップＳ８３）、チェックセルをセル選択アルゴリズムによって選択し、アルゴリズム結果を成功とする（図１８ステップＳ８４）。
【０１１３】
ＲＮＣ１ａは、負荷が許容できないほど高い場合（図１８ステップＳ８３）、ＵＥ種別に応じたセルリストのうち、まだ一度もセル選択アルゴリズム＜Ｄ＞においてチェックされていない先頭のセルをセルｋとする（図１８ステップＳ８５）。
【０１１４】
ＲＮＣ１ａはセル‘ｋ’が存在しない場合（図１８ステップＳ８６）、選択可能なセルが存在せず、アルゴリズム結果を失敗とする（図１８ステップＳ８７）。
【０１１５】
ＲＮＣ１ａはセル‘ｋ’が存在し（図１８ステップＳ８６）、チェックセルにおいて提供しようとしていたサービス（ＤＣＨ  ｏｒ  ＨＳ−ＤＳＣＨ  ｏｒ  Ｅ−ＤＣＨ／ＨＳ−ＤＳＣＨ）と、セルｋで提供可能なサービス（ＤＣＨ  ｏｒ  ＨＳ−ＤＳＣＨ  ｏｒ  Ｅ−ＤＣＨ／ＨＳ−ＤＳＣＨ）とが異なる場合（図１８ステップＳ８８）、セルｋで提供可能なサービスとしてセルに追加となる負荷を計算し（図１８ステップＳ８９）、チェックセルをセル‘ｋ’とし（図１８ステップＳ９０）、ステップＳ８２の動作に戻る。
【０１１６】
また、ＲＮＣ１ａはチェックセルにおいて提供しようとしていたサービスと、セルｋで提供可能なサービスとが異ならない場合（図１８ステップＳ８８）、チェックセルをセル‘ｋ’とし（図１８ステップＳ９０）、ステップＳ８２の動作に戻る。
【０１１７】
上記のようにして、ＣＴＳ  ＣｔｏＤ時のＵＥ  Ｄｉｆｆｅｒｅｎｔｉａｔｉｏｎセル選択アルゴリズム＜Ｅ＞は、アルゴリズム結果と、選択セルとを出力する。
【０１１８】
このように、本実施例では、ＲＮＣ１ａによるセル選択アルゴリズムが、Ｅ−ＤＣＨ／ＨＳ−ＤＳＣＨサービス実施不可ＵＥ４にＥ−ＤＣＨ／ＨＳ−ＤＳＣＨサービス提供不可セルを優先的に選択し、ＨＳ−ＤＳＣＨ可能ＵＥ５にＨＳ−ＤＳＣＨセルを優先的に選択し、Ｅ−ＤＣＨ／ＨＳ−ＤＳＣＨ可能ＵＥ６にＥ−ＤＣＨ／ＨＳ−ＤＳＣＨセルを優先的に選択しているので、ＵＥが実施可能なサービスに応じて、そのＵＥをサービスの提供が可能なセルに確立させるようにすることができる。
【実施例３】
【０１１９】
本発明の第３の実施例は、その基本的構成が上記の本発明の第１の実施例と同様であるが、ＵＥより現在のセルの周波数帯の品質劣化報告を受信し、同一アンテナの異周波数セルへ異周波数間ＨＯ（ＨａｎｄＯｖｅｒ：ハンドオーバ）を実施時のＵＥ  Ｄｉｆｆｅｒｅｎｔｉａｔｉｏｎアルゴリズムについてさらに工夫している。
【０１２０】
図１９は本発明の第３の実施例によるＲＮＣの内部構成を示すブロック図である。図１９において、ＲＮＣ１ｂはセル選択処理部１１と、ＵＥからの無線品質測定報告処理部１７とを備え、セル情報１３と、ＵＥ情報１４と、ＲＮＣとしてハイスピードサービス（ＨＳ−ＤＳＣＨ  ｏｒ  Ｅ−ＤＣＨ／ＨＳ−ＤＳＣＨ）が提供可能なセルに移動させることを優先とするサービス種別の内部データ（以下、サービス種別の内部データとする）１８と、ＲＮＣとしてＨＳＤＰＡを可能とするかどうかを示すフラグ（Ｆｌａｇ）１６とを保持している。
【０１２１】
セル情報１３、ＵＥ情報１４、セル選択処理部１１、ＲＮＣとしてＨＳＤＰＡを可能とするかどうかを示すフラグ１６については、上述した本発明の第１の実施例と同じ内容である。
【０１２２】
図２０は図１９に示すＵＥ情報１４の詳細な構成を示す図である。図２０において、ＲＮＣ１ｂはＵＥの現存するセルの情報と、ＵＥの現在のチャネル状態と、ＵＥがＨＳ−ＤＳＣＨもしくはＥ−ＤＣＨ／ＨＳ−ＤＳＣＨサービスを提供する場合のサービングセルの情報と、ＵＥが実施するサービス、ＵＥ能力情報をＵＥ情報１４として保持している。
【０１２３】
ＵＥの現存するセル情報は、ＵＥが個別チャネルで接続する複数のＡｃｔｉｖｅ  Ｓｅｔ  Ｃｅｌｌを示す。ＵＥのチャネル状態は、個別チャネルで低レートサービスを提供するＤＣＨ  Ｓｔａｔｅと、ダウンリンクにＨＳＤＰＡサービスを提供するＨＳ−ＤＳＣＨ  Ｓｔａｔｅと、アップリンク／ダウンリンクそれぞれにＨＳＤＰＡ／ＨＳＵＰＡサービスを提供するＥ−ＤＣＨ／ＨＳ−ＤＳＣＨ  Ｓｔａｔｅとが存在する。
【０１２４】
ＵＥが実施するサービスは、一例として、音声電話やテレビ電話サービスを提供するＣＳ  Ｃｏｎｖｅｒｓａｔｉｏｎａｌ、ＶｏＩＰ（Ｖｏｉｃｅ  ｏｖｅｒ  ＩＰ）サービスを提供するＰＳ  Ｃｏｎｖｅｒｓａｔｉｏｎａｌ、即時データ転送サービスを提供するＣＳ  ＳｔｒｅａｍｉｎｇもしくはＰＳ  Ｓｔｒｅａｍｉｎｇ、ウェブブラウジングやチャットサービスを提供するＰＳ  Ｉｎｔｅｒａｃｔｉｖｅ、メール転送サービスを提供するＰＳ  Ｂａｃｋｇｒｏｕｎｄ等が含まれる。
【０１２５】
ＵＥ能力情報は、Ｅ−ＤＣＨ／ＨＳ−ＤＳＣＨサービス実施不可ＵＥ４、ＨＳ−ＤＳＣＨ可能ＵＥ５、Ｅ−ＤＣＨ／ＨＳ−ＤＳＣＨ可能ＵＥ６といった対応可能なパケットサービスを示しており、Ｅ−ＤＣＨ／ＨＳ−ＤＳＣＨサービス実施不可ＵＥ４が低レートサービスのみ可能、ＨＳ−ＤＳＣＨ可能ＵＥ５が低レートサービスとＨＳＤＰＡサービスとを可能、Ｅ−ＤＣＨ／ＨＳ−ＤＳＣＨ可能ＵＥ６が低レートサービスとＨＳＤＰＡサービスとＨＳＵＰＡ／ＨＳＤＰＡサービスとを可能とし、またＵＥが対応可能な全ての周波数帯情報も含まれる。これらは、ＲＲＣ  Ｃｏｎｎｅｃｔｉｏｎ接続時に、ＵＥからのＲＲＣ  Ｃｏｎｎｅｃｔｉｏｎ接続完了応答より決定される。
【０１２６】
図２１は図１９に示すＵＥからの無線品質測定報告処理部１７で受信するＵＥからの無線品質測定報告の構成を示す図である。図２１において、ＵＥからの無線品質測定報告では、ＵＥが現在接続するＡｃｔｉｖｅ  Ｓｅｔ  Ｃｅｌｌのリストが含められ、最も品質の良いセルが先頭セルとして含められる。
【０１２７】
図２２は図１９に示すサービス種別の内部データ１８の構成を示す図である。図２２において、サービス種別の内部データ１８は、ＲＮＣ１ｂがＵＥに提供するサービスである、ＣＳ  Ｃｏｎｖｅｒｓａｔｉｏｎａｌ、ＣＳ  Ｓｔｒｅａｍｉｎｇ、ＰＳ  Ｃｏｎｖｅｒｓａｔｉｏｎａｌ、ＰＳ  Ｓｔｒｅａｍｉｎｇ、ＰＳ  Ｉｎｔｅｒａｃｔｉｖｅ、ＰＳ  Ｂａｃｋｇｒｏｕｎｄサービスのそれぞれにフラグ（ＴＲＵＥ／ＦＡＬＳＥ）が設定されており、ＴＲＵＥはハイスピードサービスが提供可能なセルに優先的に移動させることを示し、ＦＡＬＳＥはハイスピードサービスが提供不可能なセルに優先的に移動させることを示す。
【０１２８】
図２０に示すＵＥ情報１４をＲＮＣ１ｂの内部データに保持すること自体は当業者にとってよく知られており、また本発明とは直接関係しないが、本発明にてこれらの情報を使用している。
【０１２９】
また、図２１に示すＵＥからの無線品質測定報告の内容自体は、当業者にとってよく知られており、また本発明とは直接関係しないが、本発明にてこれらの情報を使用している。
【０１３０】
図２３及び図２４は本発明の第３の実施例によるＵＥより現在のセルの周波数帯の品質劣化報告を受信して同一アンテナの異周波数セルへ異周波数間ＨＯを実施した時のＵＥ  Ｄｉｆｆｅｒｅｎｔｉａｔｉｏｎアルゴリズムの動作を示すフローチャートである。これら図２３及び図２４を参照して本発明の第３の実施例によるＵＥより現在のセルの周波数帯の品質劣化報告を受信して同一アンテナの異周波数セルへ異周波数間ＨＯを実施した時のＵＥ  Ｄｉｆｆｅｒｅｎｔｉａｔｉｏｎアルゴリズムの動作について説明する。
【０１３１】
ＲＮＣ１ｂはＵＥより現在のセルの周波数帯の品質劣化報告を受信すると、同一アンテナの異周波数セルへ異周波数間ＨＯの対象セル選択としてＵＥ  Ｄｉｆｆｅｒｅｎｔｉａｔｉｏｎアルゴリズムを開始する（図２３ステップＳ９１）。
【０１３２】
ＲＮＣ１ｂはＵＥ  Ｄｉｆｆｅｒｅｎｔｉａｔｉｏｎアルゴリズムの有効フラグをチェックし、無効（ＦＡＬＳＥ）である場合（図２３ステップＳ９２）、図２０に示すＵＥの現存するセルとの同一アンテナである異周波数セルを図３より取得し、ランダムに対象となるセルを選択する（図２３ステップＳ９３）。
【０１３３】
ＲＮＣ１ｂは有効（ＴＲＵＥ）である場合（図２３ステップＳ９２）、図２０に示すＵＥの現在のチャネル状態がＤＣＨ  Ｓｔａｔｅの場合（図２３ステップＳ９４）、図２１に示すＵＥからの無線品質測定報告より最も品質の良いセルである先頭セルとの同一アンテナである異周波数セルを図３より取得し、図２０のＵＥが対応可能な全ての周波数帯情報に含まれない周波数帯のセルを省く（図２３ステップＳ９５）。
【０１３４】
また、ＲＮＣ１ｂはＤＣＨ  Ｓｔａｔｅ以外の場合（図２３ステップＳ９４）、図２０に示すサービングセルと同一アンテナである異周波数セルを図３より取得し、図２０に示すＵＥが対応可能な全ての周波数帯情報に含まれない周波数帯のセルを省く（図２３ステップＳ９６）。
【０１３５】
ＲＮＣ１ｂは対象となる異周波数セルがない（ＦＡＬＳＥ）場合（図２３ステップＳ９７）、選択可能なセルは存在せず、アルゴリズム結果を失敗とする（図２３ステップＳ９８）。
【０１３６】
ＲＮＣ１ｂは少なくとも一つ対象となる異周波数セルがあれば（図２３ステップＳ９７）、ＲＮＣとしてＨＳＤＰＡを可能とするかどうかを示すフラグ１６をチェックし（図２３ステップＳ９９）、無効（ＦＡＬＳＥ）である場合、残った異周波数セルのうち、最も高いＨＣＳ＿ＰＲＩＯのセルでもっとも大きなダウンリンク周波数を持つセルをＨＯ対象セルとして選択し、アルゴリズム結果を成功とする（図２３ステップＳ１０１）。
【０１３７】
ＲＮＣ１ｂは有効（ＴＲＵＥ）である場合、残った異周波数セルの中に、少なくとも一つＨＳ−ＤＳＣＨセルもしくはＥ−ＤＣＨ／ＨＳ−ＤＳＣＨセルが存在するかどうかをチェックし（図２３ステップＳ１００）、存在しなければ、最も高いＨＣＳ＿ＰＲＩＯのセルでもっとも大きなダウンリンク周波数を持つセルをＨＯ対象セルとして選択し、アルゴリズム結果を成功とする（図２３ステップＳ１０１）。
【０１３８】
ＲＮＣ１ｂはＨＳ−ＤＳＣＨセルもしくはＥ−ＤＣＨ／ＨＳ−ＤＳＣＨセルが存在する場合、図２０に示すＵＥが実施するサービスに該当する、図２２のハイスピード優先サービスの内部データのフラグが無効（ＦＡＬＳＥ）の場合（図２４ステップＳ１０２）、ＵＥの現存するセルを除くＥ−ＤＣＨ／ＨＳ−ＤＳＣＨサービス実施不可Ｉｎｔｅｒ  Ｆｒｅｑｕｅｎｃｙ  Ｃｅｌｌ  Ｌｉｓｔの先頭セルを選択し、アルゴリズム結果を成功とする（図２４ステップＳ１０４）。
【０１３９】
ＲＮＣ１ｂは有効（ＴＲＵＥ）であれば（図２４ステップＳ１０２）、図２０に示すＵＥ能力情報を確認し、Ｅ−ＤＣＨ／ＨＳ−ＤＳＣＨサービス実施不可ＵＥ４の場合（図２４ステップＳ１０３）、ＵＥの現存するセルを除くＥ−ＤＣＨ／ＨＳ−ＤＳＣＨサービス実施不可Ｉｎｔｅｒ  Ｆｒｅｑｕｅｎｃｙ  Ｃｅｌｌ  Ｌｉｓｔの先頭セルを選択し、アルゴリズム結果を成功とする（図２４ステップＳ１０４）。
【０１４０】
ＲＮＣ１ｂはＨＳ−ＤＳＣＨ可能ＵＥ５の場合（図２４ステップＳ１０３）、ＵＥの現存するセルを除くＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔの先頭セルを選択し、アルゴリズム結果を成功とする（図２４ステップＳ１０５）。
【０１４１】
ＲＮＣ１ｂはＥ−ＤＣＨ／ＨＳ−ＤＳＣＨ可能ＵＥ６の場合（図２４ステップＳ１０３）、ＵＥの現存するセルを除くＥ−ＤＣＨ／ＨＳ−ＤＳＣＨ  Ｐｒｅｆｅｒｒｅｄ  Ｉｎｔｅｒ  Ｆｒｅｑｕｅｎｃｙ  Ｃｅｌｌ  Ｌｉｓｔの先頭セルを選択し、アルゴリズム結果を成功とする（図２４ステップＳ１０６）。
【０１４２】
上記のようにして、ＵＥより現在のセルの周波数帯の品質劣化報告を受信し、同一アンテナの異周波数セルへ異周波数間ＨＯを実施時のＵＥ  Ｄｉｆｆｅｒｅｎｔｉａｔｉｏｎアルゴリズムは選択セルを出力する。尚、選択したセルに対する異周波数間ＨＯが失敗した場合、それぞれのセルリストにおいての次の候補セルを選択して異周波数間ＨＯを試みても良い。
【実施例４】
【０１４３】
本発明の第４の実施例は、その基本的構成が上記の本発明の第１の実施例と同様であるが、ＲＲＣ  Ｃｏｎｎｅｃｔｉｏｎを共通チャネルで接続中に、コアネットワーク（ＣＮ）よりサービス接続要求メッセージ受信時のＵＥ  Ｄｉｆｆｅｒｅｎｔｉａｔｉｏｎアルゴリズムについてさらに工夫している。
【０１４４】
図２５は本発明の第４の実施例によるＲＮＣの内部構成を示すブロック図である。図２５において、ＲＮＣ１ｃはセル選択処理部１１と、ＲＡＢ  Ａｓｓｉｇｎｍｅｎｔ  Ｒｅｑｕｅｓｔメッセージ受信処理部１９とを備え、セル情報１３と、ＵＥ情報１４と、サービス種別の内部データ１８と、ＲＮＣとしてＨＳＤＰＡを可能とするかどうかを示すフラグ１６とを保持している。
【０１４５】
セル情報１３、セル選択処理部１１、ＲＮＣとしてＨＳＤＰＡを可能とするかどうかを示すフラグ１６については、上記の本発明の第１の実施例と同じ内容である。サービス種別の内部データ１８については、上記の本発明の第３の実施例と同じ内容である。
【０１４６】
図２６は図２５に示すＵＥ情報１４の詳細な構成を示す図である。図２６において、ＲＮＣ１ｃはＵＥの現存するセルの情報と、ＵＥ能力情報とをＵＥ情報１４として保持する。
【０１４７】
ＵＥの現存するセルの情報は、ＲＲＣ  Ｃｏｎｎｅｃｔｉｏｎが接続されている共通チャネルを含むセルを示す。ＵＥ能力情報は、Ｅ−ＤＣＨ／ＨＳ−ＤＳＣＨサービス実施不可ＵＥ４、ＨＳ−ＤＳＣＨ可能ＵＥ５、Ｅ−ＤＣＨ／ＨＳ−ＤＳＣＨ可能ＵＥ６といった対応可能なパケットサービスを示しており、Ｅ−ＤＣＨ／ＨＳ−ＤＳＣＨサービス実施不可ＵＥ４が低レートサービスのみ可能、ＨＳ−ＤＳＣＨ可能ＵＥ５が低レートサービスとＨＳＤＰＡサービスとを可能、Ｅ−ＤＣＨ／ＨＳ−ＤＳＣＨ可能ＵＥ６が低レートサービスとＨＳＤＰＡサービスとＨＳＵＰＡ／ＨＳＤＰＡサービスとを可能とし、またＵＥが対応可能な全ての周波数帯情報も含まれる。これらは、ＲＲＣ  Ｃｏｎｎｅｃｔｉｏｎ接続時に、ＵＥからのＲＲＣ  Ｃｏｎｎｅｃｔｉｏｎ接続完了応答より決定される。
【０１４８】
ＲＡＢ  Ａｓｓｉｇｎｍｅｎｔ  Ｒｅｑｕｅｓｔメッセージ受信処理部１９では、ＲＡＢ  Ａｓｓｉｇｎｍｅｎｔ  Ｒｅｑｕｅｓｔメッセージにおいて、どのようなサービスの確立要求があるかをチェックしており、一例として、音声電話やテレビ電話サービスを提供するＣＳ  Ｃｏｎｖｅｒｓａｔｉｏｎａｌ、ＶｏＩＰサービスを提供するＰＳ  Ｃｏｎｖｅｒｓａｔｉｏｎａｌ、即時データ転送サービスを提供するＣＳ  ＳｔｒｅａｍｉｎｇもしくはＰＳ  Ｓｔｒｅａｍｉｎｇ、ウェブブラウジングやチャットサービスを提供するＰＳ  Ｉｎｔｅｒａｃｔｉｖｅ、メール転送サービスを提供するＰＳ  Ｂａｃｋｇｒｏｕｎｄ等が含まれる。
【０１４９】
以上、本実施例の構成について述べたが、図２６に示すＵＥ情報１４をＲＮＣ１ｃ内部データに保持すること自体は当業者にとってよく知られており、また本発明とは直接関係しないが、本発明にてこれらの情報を使用している。
また、ＲＡＢ  Ａｓｓｉｇｎｍｅｎｔ  Ｒｅｑｕｅｓｔメッセージ受信処理部１９は当業者にとってよく知られており、また本発明とは直接関係しないため、その詳細な説明を省略する。
【０１５０】
図２７は本発明の第３の実施例におけるＲＲＣ  Ｃｏｎｎｅｃｔｉｏｎを共通チャネルで接続中に、コアネットワーク（ＣＮ）よりサービス接続要求メッセージ受信時のＵＥ  Ｄｉｆｆｅｒｅｎｔｉａｔｉｏｎアルゴリズムの動作を示すフローチャートである。この図２７を参照して本発明の第３の実施例におけるＲＲＣ  Ｃｏｎｎｅｃｔｉｏｎを共通チャネルで接続中に、コアネットワーク（ＣＮ）よりサービス接続要求メッセージ受信時のＵＥ  Ｄｉｆｆｅｒｅｎｔｉａｔｉｏｎアルゴリズムの動作について説明する。
【０１５１】
ＲＮＣ１ｃはＲＮＣとしてＨＳＤＰＡを可能とするかどうかを示すフラグ１６をチェックし（図２７ステップＳ１１１）、無効（ＦＡＬＳＥ）である場合、図７に示すＬｏａｄ  Ｃｏｎｔｒｏｌアルゴリズムよりセルを選択する（図２７ステップＳ１１５）。
【０１５２】
ＲＮＣ１ｃは有効（ＴＲＵＥ）である場合、ＵＥの現存するセルと、同一アンテナの異周波数セルの情報を図３より取得し、図２６に示すＵＥが対応可能な全ての周波数帯情報に含まれない周波数帯のセルを省く（図２７ステップＳ１１２）。ＲＮＣ１ｃは残ったセルのうち、少なくとも一つＨＳ−ＤＳＣＨセルもしくはＥ−ＤＣＨ／ＨＳ−ＤＳＣＨセルが存在するかどうかをチェックし（図２７ステップＳ１１３）、存在しなければ、図７に示すＬｏａｄ  Ｃｏｎｔｒｏｌアルゴリズムよりセルを選択する（図２７ステップＳ１１５）。
【０１５３】
ＲＮＣ１ｃはＨＳ−ＤＳＣＨセルもしくはＥ−ＤＣＨ／ＨＳ−ＤＳＣＨセルが存在する場合、ＵＥ  Ｄｉｆｆｅｒｅｎｔｉａｔｉｏｎアルゴリズムの有効フラグをチェックし（図２７ステップＳ１１４）、無効（ＦＡＬＳＥ）である場合、図７に示すＬｏａｄ  Ｃｏｎｔｒｏｌアルゴリズムよりセルを選択する（図２７ステップＳ１１５）。
【０１５４】
ＲＮＣ１ｃは有効（ＴＲＵＥ）である場合、ＲＡＢ  Ａｓｓｉｇｎｍｅｎｔ  Ｒｅｑｕｅｓｔメッセージ受信処理部１９において要求されているサービスに該当する、図２２に示すハイスピード優先サービスの内部データのフラグがＦＡＬＳＥであれば（図２７ステップＳ１１６）、Ｅ−ＤＣＨ／ＨＳ−ＤＳＣＨサービス実施不可ＵＥ４のセル選択アルゴリズム＜ＡＡ＞を実施する（図２７ステップＳ１１８）。
【０１５５】
ＲＮＣ１ｃはＴＲＵＥであれば（図２７ステップＳ１１６）、図２６に示すＵＥ能力情報を確認し、Ｅ−ＤＣＨ／ＨＳ−ＤＳＣＨサービス実施不可ＵＥ４であれば（図２７ステップＳ１１７）、Ｅ−ＤＣＨ／ＨＳ−ＤＳＣＨサービス実施不可ＵＥ４のセル選択アルゴリズム＜ＡＡ＞を実施する（図２７ステップＳ１１８）。
【０１５６】
ＲＮＣ１ｃはＨＳ−ＤＳＣＨ可能ＵＥ５であれば（図２７ステップＳ１１７）、ＨＳ−ＤＳＣＨ可能ＵＥ５のセル選択アルゴリズム＜ＢＢ＞を実施する（図２７ステップＳ１１９）。ＲＮＣ１ｃはＥ−ＤＣＨ／ＨＳ−ＤＳＣＨ可能ＵＥ６であれば（図２７ステップＳ１１７）、Ｅ−ＤＣＨ／ＨＳ−ＤＳＣＨ可能ＵＥ６のセル選択アルゴリズム＜ＣＣ＞を実施する（図２７ステップＳ１２０）。
【０１５７】
Ｅ−ＤＣＨ／ＨＳ−ＤＳＣＨサービス実施不可ＵＥ４のセル選択アルゴリズム＜ＡＡ＞、ＨＳ−ＤＳＣＨ可能ＵＥ５のセル選択アルゴリズム＜ＢＢ＞、Ｅ−ＤＣＨ／ＨＳ−ＤＳＣＨ可能ＵＥ６のセル選択アルゴリズム＜ＣＣ＞のセルリストは、本発明の第１の実施例において使用したソートキーを上記のステップＳ１１２の動作にて残ったセルリストに対して使用して並び替えたものとする。
【０１５８】
Ｅ−ＤＣＨ／ＨＳ−ＤＳＣＨサービス実施不可ＵＥ４のセル選択アルゴリズム＜ＡＡ＞、ＨＳ−ＤＳＣＨ可能ＵＥ５のセル選択アルゴリズム＜ＢＢ＞、Ｅ−ＤＣＨ／ＨＳ−ＤＳＣＨ可能ＵＥ６のセル選択アルゴリズム＜ＣＣ＞の最初のチェック対象セルの選択手順を図１１〜図１３に示す処理動作と等しく、最初のチェック対象セル時のＵＥ  Ｄｉｆｆｅｒｅｎｔｉａｔｉｏｎセル選択アルゴリズムは、図１８に示すＣＴＳ  ＣｔｏＤ時のＵＥ  Ｄｉｆｆｅｒｅｎｔｉａｔｉｏｎセル選択アルゴリズム＜Ｅ＞と等しい。
【０１５９】
図１１においては、最初のチェック対象セルを選択後、ＤＣＨの初期レートとしてセルに追加となる負荷を計算する。
【０１６０】
図１２においては、最初のチェック対象セルを選択後、そのセルが、ＨＳ−ＤＳＣＨブロック状態フラグがＦＡＬＳＥのＨＳ−ＤＳＣＨセルもしくはＨＳ−ＤＳＣＨブロック状態フラグがＦＡＬＳＥのＥ−ＤＣＨ／ＨＳ−ＤＳＣＨセルであれば、ＨＳ−ＤＳＣＨの初期レートとしてセルに追加となる負荷を計算し、そうでなければ、ＤＣＨの初期レートとしてセルに追加となる負荷を計算する。
【０１６１】
図１３においては、最初のチェック対象セルを選択後、そのセルが、ＨＳ−ＤＳＣＨブロック状態フラグがＦＡＬＳＥで、Ｅ−ＤＣＨブロック状態フラグがＦＡＬＳＥのＥ−ＤＣＨ／ＨＳ−ＤＳＣＨセルであれば、Ｅ−ＤＣＨ／ＨＳ−ＤＳＣＨとしてセルに追加となる負荷を計算する。
【０１６２】
また、図１３においては、そのセルが、ＨＳ−ＤＳＣＨブロック状態フラグがＦＡＬＳＥで、Ｅ−ＤＣＨブロック状態フラグがＴＲＵＥのＥ−ＤＣＨ／ＨＳ−ＤＳＣＨセルもしくはＨＳ−ＤＳＣＨブロック状態フラグがＦＡＬＳＥのＨＳ−ＤＳＣＨセルであれば、ＨＳ−ＤＳＣＨの初期レートとしてセルに追加となる負荷を計算し、そうでなければ、ＤＣＨの初期レートとしてセルに追加となる負荷を計算する。
【０１６３】
このように、本実施例では、ＲＮＣ１ｃによるセル選択アルゴリズムが、Ｅ−ＤＣＨ／ＨＳ−ＤＳＣＨサービス実施不可ＵＥ４にＥ−ＤＣＨ／ＨＳ−ＤＳＣＨサービス提供不可セルを優先的に選択し、ＨＳ−ＤＳＣＨ可能ＵＥ５にはＨＳ−ＤＳＣＨセルを優先的に選択し、Ｅ−ＤＣＨ／ＨＳ−ＤＳＣＨ可能ＵＥ６にＥ−ＤＣＨ／ＨＳ−ＤＳＣＨセルを優先的に選択しているので、ＵＥが実施可能なサービスと、コアネットワークより接続要求されたサービスに応じて、そのＵＥをサービスの提供が可能なセルに確立させるようにすることができる。
【産業上の利用可能性】
【０１６４】
本発明は、同一アンテナにおいて周波数の異なるＥ−ＤＣＨ／ＨＳ−ＤＳＣＨサービス提供不可セルとＨＳ−ＤＳＣＨセルとＥ−ＤＣＨ／ＨＳ−ＤＳＣＨセルとが混在し、同一エリアにＥ−ＤＣＨ／ＨＳ−ＤＳＣＨサービス実施不可ＵＥとＨＳ−ＤＳＣＨ可能ＵＥとＥ−ＤＣＨ／ＨＳ−ＤＳＣＨ可能ＵＥとが混在するＩＭＴ２０００システムアーキテクチャに適用可能である。
【０１６５】
上記のＩＭＴ２０００システムアーキテクチャにおいては、最初の無線接続要求（ＲＲＣ  Ｃｏｎｎｅｃｔｉｏｎ  Ｒｅｑｕｅｓｔ）メッセージ受信時にＲＲＣ  Ｃｏｎｎｅｃｔｉｏｎ確立対象のセル選択、もしくはパケットサービスを共通チャネルで接続中にＵＥからのトラフィック増加報告受信もしくはＲＮＣ内部の転送バッファ増加検出による共通チャネルから個別チャネルへのチャネルタイプ変更（ＣＴＳ  ＦＡＣＨ  ｔｏ  ＤＣＨ）時に個別チャネル確立対象のセル選択、あるいはＵＥより現在のセルの周波数帯の品質劣化報告を受信して同一アンテナの異周波数セルへの異周波数間ＨＯの実施時に異周波数間ＨＯ対象のセル選択、またはＲＲＣ  Ｃｏｎｎｅｃｔｉｏｎを共通チャネルで接続中にコアネットワーク（ＣＮ）よりサービス接続要求（ＲＡＢ  Ａｓｓｉｇｎｍｅｎｔ  Ｒｅｑｕｅｓｔ）メッセージ受信時に個別チャネル確立対象のセル選択をそれぞれ行う場合に適用可能である。
【図面の簡単な説明】
【０１６６】
【図１】本発明の実施の形態による移動体通信システムの構成を示すブロック図である。
【図２】本発明の第１の実施例によるＲＮＣの内部構成を示すブロック図である。
【図３】図２に示すセル情報の詳細な構成を示す図である。
【図４】図２に示すＵＥ情報の詳細な構成を示す図である。
【図５】図２に示すＵＥ情報処理部において処理される最初の無線接続要求（ＲＲＣ  Ｃｏｎｎｅｃｔｉｏｎ  Ｒｅｑｕｅｓｔ）メッセージの詳細な構成を示す図である。
【図６】図２に示す内部データの詳細な構成を示す図である。
【図７】図２に示すセル選択処理部の詳細な構成を示すブロック図である。
【図８】本発明の第１の実施例におけるＲＲＣ  Ｃｏｎｎｅｃｔｉｏｎ  Ｒｅｑｕｅｓｔメッセージ受信時のセル選択のＵＥ  Ｄｉｆｆｅｒｅｎｔｉａｔｉｏｎアルゴリズムの動作を示すフローチャートである。
【図９】本発明の第１の実施例におけるＲＲＣ  Ｃｏｎｎｅｃｔｉｏｎ  Ｒｅｑｕｅｓｔメッセージ受信時のセル選択のＵＥ  Ｄｉｆｆｅｒｅｎｔｉａｔｉｏｎアルゴリズムの動作を示すフローチャートである。
【図１０】本発明の第１の実施例におけるＲＲＣ  Ｃｏｎｎｅｃｔｉｏｎ  Ｒｅｑｕｅｓｔメッセージ受信時のセル選択のＵＥ  Ｄｉｆｆｅｒｅｎｔｉａｔｉｏｎアルゴリズムの動作を示すフローチャートである。
【図１１】本発明の第１の実施例におけるＥ−ＤＣＨ／ＨＳ−ＤＳＣＨサービス実施不可ＵＥのセル選択アルゴリズム＜Ａ＞の動作を示すフローチャートである。
【図１２】本発明の第１の実施例におけるＨＳ−ＤＳＣＨ可能ＵＥのセル選択アルゴリズム＜Ｂ＞の動作を示すフローチャートである。
【図１３】本発明の第１の実施例におけるＥ−ＤＣＨ／ＨＳ−ＤＳＣＨ可能ＵＥのセル選択アルゴリズム＜Ｃ＞の動作を示すフローチャートである。
【図１４】本発明の第１の実施例におけるＲＲＣ  Ｃｏｎｎｅｃｔｉｏｎ  Ｒｅｑｕｅｓｔ受信時のＵＥ  Ｄｉｆｆｅｒｅｎｔｉａｔｉｏｎセル選択アルゴリズム＜Ｄ＞の動作を示すフローチャートである。
【図１５】本発明の第２の実施例によるＲＮＣの内部構成を示すブロック図である。
【図１６】図１５に示すＵＥ情報の詳細な構成を示す図である。
【図１７】本発明の第２の実施例におけるＣＴＳ  ＣｔｏＤ時のＵＥ  Ｄｉｆｆｅｒｅｎｔｉａｔｉｏｎアルゴリズムの動作を示すフローチャートである。
【図１８】本発明の第２の実施例におけるＣＴＳ  ＣｔｏＤ時のＵＥ  Ｄｉｆｆｅｒｅｎｔｉａｔｉｏｎセル選択アルゴリズム＜Ｅ＞の動作を示すフローチャートである。
【図１９】本発明の第３の実施例によるＲＮＣの内部構成を示すブロック図である。
【図２０】図１９に示すＵＥ情報の詳細な構成を示す図である。
【図２１】図１９に示すＵＥからの無線品質測定報告処理部で受信するＵＥからの無線品質測定報告の構成を示す図である。
【図２２】図１９に示すサービス種別の内部データの構成を示す図である。
【図２３】本発明の第３の実施例によるＵＥより現在のセルの周波数帯の品質劣化報告を受信して同一アンテナの異周波数セルへ異周波数間ＨＯを実施した時のＵＥ  Ｄｉｆｆｅｒｅｎｔｉａｔｉｏｎアルゴリズムの動作を示すフローチャートである。
【図２４】本発明の第３の実施例によるＵＥより現在のセルの周波数帯の品質劣化報告を受信して同一アンテナの異周波数セルへ異周波数間ＨＯを実施した時のＵＥ  Ｄｉｆｆｅｒｅｎｔｉａｔｉｏｎアルゴリズムの動作を示すフローチャートである。
【図２５】本発明の第４の実施例によるＲＮＣの内部構成を示すブロック図である。
【図２６】図２５に示すＵＥ情報の詳細な構成を示す図である。
【図２７】本発明の第３の実施例におけるＲＲＣ  Ｃｏｎｎｅｃｔｉｏｎを共通チャネルで接続中に、コアネットワーク（ＣＮ）よりサービス接続要求メッセージ受信時のＵＥ  Ｄｉｆｆｅｒｅｎｔｉａｔｉｏｎアルゴリズムの動作を示すフローチャートである。
【符号の説明】
【０１６７】
１，１ａ，
１ｂ，１ｃ  ＲＮＣ
２，３  基地局
４  Ｅ−ＤＣＨ／ＨＳ−ＤＳＣＨサービス実施不可ＵＥ
５  ＨＳ−ＤＳＣＨ可能ＵＥ
６  Ｅ−ＤＣＨ／ＨＳ−ＤＳＣＨ可能ＵＥ
１１  セル選択処理部
１２  ＵＥ情報処理部
１３  セル情報
１４  ＵＥ情報
１５  ＲＮＣとしてハイスピードサービス対象とする確立理由の内部データ
１６  ＲＮＣとしてＨＳＤＰＡを可能とするかどうかを示すフラグ
１７  ＵＥからの無線品質測定報告処理部
１８  ＲＮＣとしてハイスピードサービスが提供可能なセルに移動させることを優先とするサービス種別の内部データ
１９  ＲＡＢ  Ａｓｓｉｇｎｍｅｎｔ  Ｒｅｑｕｅｓｔメッセージ受信処理部
１１１  Ｌｏａｄ  Ｃｏｎｔｒｏｌ部
１１２  ＵＥ  Ｄｉｆｆｅｒｅｎｔｉａｔｉｏｎ処理部
１１３  ＵＥ  Ｄｉｆｆｅｒｅｎｔｉａｔｉｏｎアルゴリズムを有効とするかどうかを示すフラグ
【図１】
2008166878.tif 000003
【図２】
2008166878.tif 000004
【図３】
2008166878.tif 000005
【図４】
2008166878.tif 000006
【図５】
2008166878.tif 000007
【図６】
2008166878.tif 000008
【図７】
2008166878.tif 000009
【図８】
2008166878.tif 000010
【図９】
2008166878.tif 000011
【図１０】
2008166878.tif 000012
【図１１】
2008166878.tif 000013
【図１２】
2008166878.tif 000014
【図１３】
2008166878.tif 000015
【図１４】
2008166878.tif 000016
【図１５】
2008166878.tif 000017
【図１６】
2008166878.tif 000018
【図１７】
2008166878.tif 000019
【図１８】
2008166878.tif 000020
【図１９】
2008166878.tif 000021
【図２０】
2008166878.tif 000022
【図２１】
2008166878.tif 000023
【図２２】
2008166878.tif 000024
【図２３】
2008166878.tif 000025
【図２４】
2008166878.tif 000026
【図２５】
2008166878.tif 000027
【図２６】
2008166878.tif 000028
【図２７】
2008166878.tif 000029